(57)【要約】ビーム選択のためのメカニズムが提供される。この方法は第１の無線送受信装置によって実行される。この方法は、少なくとも、第１のビームセットから取得された第１のビームと第２のビームとによって、第２の無線送受信装置から第１の無線送受信装置に搬送された無線信号のリンク品質推定値を取得することを含む。第２のビームは第１のビームよりも広い。この方法は、第１のビームのリンク品質推定値と第２のビームの補償されたリンク品質推定値との間の比較に従って、第１のビームと第２のビームのうちのどちらかひとつを第２の無線送受信装置との無線信号の継続的な通信に使用するために選択することを含む。【選択図】図２
2020520568.tif 000002
【特許請求の範囲】
【請求項１】
第１の無線送受信装置（２００）によって実行されるビーム選択のための方法であって、
少なくとも、第１のビームセットから取得された第１のビーム（１５０ａ〜１５０Ｍ）と第２のビーム（１６０ａ、１６０ｂ）とによって、第２の無線送受信装置（４００）から第１の無線送受信装置（２００)へと搬送される無線信号のリンク品質推定値を取得すること（Ｓ１０２）であって、前記第２のビーム（１６０ａ、１６０ｂ）が前記第１のビーム（１５０ａ〜１５０Ｍ）よりも広いことと、
前記第１のビーム（１５０ａ〜１５０Ｍ）の前記リンク品質推定値と前記第２のビーム（１６０ａ、１６０ｂ）の補償されたリンク品質推定値との間の比較に従って、前記第１のビーム（１５０ａ〜１５０Ｍ）と前記第２のビーム（１６０ａ、１６０ｂ）のうちのどちらかひとつを前記第２の無線送受信装置（４００）との無線信号の継続的な通信に使用するために選択すること（Ｓ１０４）と、
を含む方法。
【請求項２】
請求項１に記載の方法であって、前記無線信号は、少なくとも前記第１のビーム（１５０ａ〜１５０Ｍ）と前記第２のビーム（１６０ａ、１６０ｂ）の中で前記第１の無線送受信装置（２００）によって受信されることで搬送される、方法。
【請求項３】
請求項１に記載の方法であって、前記無線信号は、少なくとも前記第１のビーム（１５０ａ〜１５０Ｍ）と前記第２のビーム（１６０ａ、１６０ｂ）の中で前記第２の無線送受信装置（４００）によって送信されることで搬送される、方法。
【請求項４】
請求項１乃至３のいずれか一項に記載の方法であって、前記第２のビーム（１６０ａ、１６０ｂ）の前記補償されたリンク品質推定値は、補償値により増加した前記第２のビーム（１６０ａ、１６０ｂ）の前記リンク品質推定値として定義される、方法。
【請求項５】
請求項４に記載の方法であって、前記選択することはさらに、
前記第２のビーム（１６０ａ、１６０ｂ）の前記リンク品質推定値が前記第１のビーム（１５０ａ〜１５０Ｍ）の前記リンク品質推定値の前記補償値内にある場合にのみ、前記第２の無線送受信装置（４００）との無線信号の継続的な通信のために前記第２のビーム（１６０ａ、１６０ｂ）を使用することを選択すること（Ｓ１０４ａ）
を含む方法。
【請求項６】
請求項４または５に記載の方法であって、前記選択することはさらに、
前記第２のビーム１６０ａ、１６０ｂの前記リンク品質推定値が前記第１のビーム１５０ａ〜１５０Ｍの前記リンク品質推定値の前記補償値内にない場合に、前記第２の無線送受信装置４００との無線信号の継続的な通信のために前記第１のビーム１５０ａ〜１５０Ｍを使用することを選択すること（Ｓ１０４ｂ）
を含む方法。
【請求項７】
請求項１乃至６のいずれか一項に記載の方法であって、前記第１のビーム（１５０ａ〜１５０Ｍ）は、前記無線信号が受信されるすべてのビーム（１５０ａ〜１５０Ｍ、１６０ａ、１６０ｂ）の最良のリンク品質推定値を有する、方法。
【請求項８】
請求項１乃至７のいずれか一項に記載の方法であって、前記第１のビームセットは、同じ幅であるが互いに異なる指向方向を有する少なくとも２つのビーム（１５０ａ〜１５０Ｍ）を含み、前記第２のビーム（１６０ａ、１６０ｂ）は前記第１のビームセットの全てのビーム（１５０ａ〜１５０Ｍ）よりも広い、方法。
【請求項９】
請求項１乃至８のいずれか一項に記載の方法であって、前記第２のビーム（１６０ａ、１６０ｂ）は第２のビームセットから取得され、前記第２のビームセットのすべてのビーム（１６０ａ、１６０ｂ）は前記第１のビーム（１５０ａ〜１５０Ｍ）より広い、方法。
【請求項１０】
請求項９に記載の方法であって、前記第２のビームセットは少なくとも２つの異なる幅のビーム（１６０ａ、１６０ｂ）を含み、その各々の幅は、前記リンク品質推定値を補償するためのそれぞれの補償値に関連付けられる、方法。
【請求項１１】
請求項４に記載の方法であって、前記補償値は、前記第１の無線送受信装置（２００）の現在の速度、現在の回転速度、および以前のブロッキング統計値のうちの少なくとも１つに依存する、方法。
【請求項１２】
請求項４に記載の方法であって、前記補償値は、前記第１のビームセットから取得された第２の第１のビーム（１５０ａ〜１５０Ｍ）で受信された前記無線信号のリンク品質推定値に依存する、方法。
【請求項１３】
請求項１２に記載の方法であって、ビーム空間内で、前記第１のビーム（１５０ａ〜１５０Ｍ）および前記第２の第１のビーム（１５０ａ〜１５０Ｍ）は隣接するビームである、方法。
【請求項１４】
請求項１２または１３に記載の方法であって、前記第２の第１のビーム（１５０ａ〜１５０Ｍ）は、前記第１のビーム（１５０ａ〜１５０Ｍ）のみよりも悪いリンク品質推定値を有する、方法。
【請求項１５】
請求項１乃至１４のいずれか一項に記載の方法であって、前記リンク品質推定値は、前記第１の無線送受信装置（２００）のビームトレーニング手順中に取得される、方法。
【請求項１６】
請求項１乃至１５のいずれか一項に記載の方法であって、前記リンク品質推定値は、参照信号受信電力（ＲＳＲＰ）、または信号対干渉比（ＳＩＲ）、または信号対干渉雑音比（ＳＩＮＲ）に関して取得される、方法。
【請求項１７】
請求項１乃至１６のいずれか一項に記載の方法であって、前記無線信号はアップリンクサウンディング参照信号（ＳＲＳ）またはダウンリンクチャネル状態情報参照信号（ＣＳＩ−ＲＳ）などの参照信号を含み、前記リンク品質推定値は、前記参照信号について取得される、方法。
【請求項１８】
請求項１乃至１７のいずれか一項に記載の方法であって、前記第２の無線送受信装置（４００）との無線信号の継続的な通信に使用するために前記第１のビーム（１５０ａ〜１５０Ｍ）と前記第２のビーム（１６０ａ、１６０ｂ）のどちらかひとつを選択する方法がネットワーク情報により構成される、方法。
【請求項１９】
請求項２に記載の方法であって、前記少なくとも第１のビーム（１５０ａ〜１５０Ｍ）および前記第２のビーム（１６０ａ、１６０ｂ）は、アンテナアレイのアンテナ素子のビームフォーミングによって生成され、前記ビームフォーミングは前記アンテナ素子に位相シフトを適用することのみからなる、方法。
【請求項２０】
請求項２に記載の方法であって、前記少なくとも第１のビーム１５０ａ〜１５０Ｍ）および前記第２のビーム（１６０ａ、１６０ｂ）はアンテナアレイのアンテナ素子のビームフォーミングによって生成され、前記ビームフォーミングは前記アンテナ素子に位相シフトおよび振幅テーパリングの組合せを適用することを含む、方法。
【請求項２１】
請求項１乃至２０のいずれか一項に記載の方法であって、さらに、
前記選択されたビームを用いて前記第２の無線送受信装置（４００）と通信すること（Ｓ１０６）
を含む方法。
【請求項２２】
第１の無線送受信装置（２００）をビーム選択のために構成する方法であって、前記第１の無線送受信装置（２００）は、少なくとも、第１のビームセットから取得された第１のビーム（１５０ａ〜１５０Ｍ）と第２のビーム（１６０ａ、１６０ｂ）とによって、第２の無線送受信装置（４００）から前記第１の無線送受信装置（２００）へと搬送される無線信号のリンク品質推定値を取得するように構成され、前記第２のビーム（１６０ａ、１６０ｂ）は前記第１のビーム（１５０ａ〜１５０Ｍ）よりも広く、前記方法はネットワークノード（３００）によって実行され、前記方法は、
前記第１のビーム（１５０ａ〜１５０Ｍ）の前記リンク品質推定値と前記第２のビーム（１６０ａ、１６０ｂ）の補償されたリンク品質推定値との間の比較に従って、前記第２の無線送受信装置（４００）との無線信号の継続的な通信に使用するために、前記第１のビーム（１５０ａ〜１５０Ｍ）と前記第２のビーム（１６０ａ、１６０ｂ）のうちのひとつを選択するよう第１の無線送受信装置（２００）を構成すること（２０２）、
を含む方法。
【請求項２３】
請求項２２に記載の方法であって、前記無線信号は、少なくとも前記第１のビーム（１５０ａ〜１５０Ｍ）と前記第２のビーム（１６０ａ、１６０ｂ）の中で前記第１の無線送受信装置（２００）によって受信されることで搬送される、方法。
【請求項２４】
請求項２２に記載の方法であって、前記無線信号は、少なくとも前記第１のビーム（１５０ａ〜１５０Ｍ）と前記第２のビーム（１６０ａ、１６０ｂ）の中で前記第２の無線送受信装置（４００）によって送信されることで搬送される、方法。
【請求項２５】
請求項２２乃至２４のいずれか一項に記載の方法であって、前記第２のビーム（１６０ａ、１６０ｂ）の前記補償されたリンク品質推定値は、補償値により増加した前記第２のビーム（１６０ａ、１６０ｂ）の前記リンク品質推定値として定義される、方法。
【請求項２６】
請求項２５に記載の方法であって、前記第１の無線送受信装置（２００）は、前記ネットワークノード（３００）により、前記第２のビーム（１６０ａ、１６０ｂ）の前記リンク品質推定値が前記第１のビーム（１５０ａ〜１５０Ｍ）の前記リンク品質推定値よりも悪い前記補償値内にある場合にのみ、前記第２の無線送受信装置（４００）との無線信号の継続的な通信のために前記第２のビーム（１６０ａ、１６０ｂ）を使用することを選択するよう構成される、方法。
【請求項２７】
請求項２５または２６に記載の方法であって、前記第１の無線送受信装置（２００）は、前記ネットワークノード（３００）により、前記第２のビーム（１６０ａ、１６０ｂ）の前記リンク品質推定値が前記第１のビーム（１５０ａ〜１５０Ｍ）の前記リンク品質推定値よりも悪い補償値内にない場合に、前記第２の無線送受信装置（４００）との無線信号の継続的な通信のために前記第１のビーム（１５０ａ〜１５０Ｍ）を使用することを選択するよう構成される、方法。
【請求項２８】
ビーム選択のための無線送受信装置（２００）であって、前記無線送受信装置（２００）は、処理回路（２１０）を含み、前記処理回路は前記無線送受信装置（２００）に、
少なくとも、第１のビームセットから取得された第１のビーム（１５０ａ〜１５０Ｍ）と第２のビーム（１６０ａ、１６０ｂ）とによって、第２の無線送受信装置（４００）から前記無線送受信装置（２００）へと搬送される無線信号のリンク品質推定値を取得させ、前記第２のビーム（１６０ａ、１６０ｂ）が前記第１のビーム（１５０ａ〜１５０Ｍ）よりも広く、
前記第１のビーム（１５０ａ〜１５０Ｍ）の前記リンク品質推定値と前記第２のビーム（１６０ａ、１６０ｂ）の補償されたリンク品質推定値との間の比較に従って、前記第１のビーム（１５０ａ〜１５０Ｍ）と前記第２のビーム（１６０ａ、１６０ｂ）のどちらかひとつを前記第２の無線送受信装置（４００）との無線信号の継続的な通信に使用するために選択させる
よう構成される、無線送受信装置（２００）。
【請求項２９】
ビーム選択のための無線送受信装置（２００）であって、前記無線送受信装置（２００）は、
処理回路（２１０）と、
命令を記憶する記憶媒体（２３０）とを含み、前記命令は、前記処理回路（２１０）によって実行されると、前記無線送受信装置（２００）に、
少なくとも、第１のビームセットから取得された第１のビーム（１５０ａ〜１５０Ｍ）と第２のビーム（１６０ａ、１６０ｂ）とによって、第２の無線送受信装置（４００）から前記無線送受信装置（２００）へと搬送される無線信号のリンク品質推定値を取得させ、前記第２のビーム（１６０ａ、１６０ｂ）が前記第１のビーム（１５０ａ〜１５０Ｍ）よりも広く、
前記第１のビーム（１５０ａ〜１５０Ｍ）の前記リンク品質推定値と前記第２のビーム（１６０ａ、１６０ｂ）の補償されたリンク品質推定値との間の比較に従って、前記第１のビーム（１５０ａ〜１５０Ｍ）と前記第２のビーム（１６０ａ、１６０ｂ）のどちらかひとつを前記第２の無線送受信装置（４００）との無線信号の継続的な通信に使用するために選択させる、
無線送受信装置（２００）。
【請求項３０】
ビーム選択のための無線送受信装置（２００）であって、前記無線送受信装置（２００）は、
少なくとも、第１のビームセットから取得された第１のビーム（１５０ａ〜１５０Ｍ）と第２のビーム（１６０ａ、１６０ｂ）とによって、第２の無線送受信装置（４００）から前記無線送受信装置（２００）へと搬送される無線信号のリンク品質推定値を取得するよう構成され、前記第２のビーム（１６０ａ、１６０ｂ）が前記第１のビーム（１５０ａ〜１５０Ｍ）よりも広い取得モジュール（２１０ａ）と、
前記第１のビーム（１５０ａ〜１５０Ｍ）の前記リンク品質推定値と前記第２のビーム（１６０ａ、１６０ｂ）の補償されたリンク品質推定値との間の比較に従って、前記第１のビーム（１５０ａ〜１５０Ｍ）と前記第２のビーム（１６０ａ、１６０ｂ）のどちらかひとつを前記第２の無線送受信装置（４００）との無線信号の継続的な通信に使用するために選択するよう構成された選択モジュール（２１０ｂ）と
を含む無線送受信装置（２００）。
【請求項３１】
請求項２８乃至３０のいずれか一項に記載の無線送受信装置（２００）であって、さらに、請求項２乃至２１のいずれか一項に記載の方法を実行するように構成された無線送受信装置（２００）。
【請求項３２】
請求項２８乃至３１のいずれか一項に記載の無線送受信装置（２００）を含む端末装置。
【請求項３３】
ビーム選択のために第１の無線送受信装置（２００）を構成するためのネットワークノード（３００）であって、前記第１の無線送受信装置（２００）は、第２の無線送受信装置から前記第１の無線送受信装置（２００）に搬送される無線信号のリンク品質推定値を取得するように構成され、前記ネットワークノード（３００）は処理回路（３１０）を含み、前記処理回路は前記ネットワークノード（３００）に、
第１のビーム（１５０ａ〜１５０Ｍ）の前記リンク品質推定値と第２のビーム（１６０ａ、１６０ｂ）の補償されたリンク品質推定値との間の比較に従って、前記第２の無線送受信装置との無線信号の継続的な通信に使用するために、前記第１のビーム（１５０ａ〜１５０Ｍ）と前記第２のビーム（１６０ａ、１６０ｂ）のうちのひとつを選択するよう第１の無線送受信装置（２００）を構成させる
よう構成される、ネットワークノード（３００）。
【請求項３４】
ビーム選択のために第１の無線送受信装置（２００）を構成するためのネットワークノード（３００）であって、前記第１の無線送受信装置（２００）は、第２の無線送受信装置から前記第１の無線送受信装置（２００）に搬送される無線信号のリンク品質推定値を取得するように構成され、前記ネットワークノード（３００）は、
処理回路（３１０）と、
命令を記憶する記憶媒体（３３０）とを含み、前記命令は、前記処理回路（３１０）によって実行されるときに、前記ネットワークノード（３００）に、
第１のビーム（１５０ａ〜１５０Ｍ）の前記リンク品質推定値と第２のビーム（１６０ａ、１６０ｂ）の補償されたリンク品質推定値との間の比較に従って、前記第２の無線送受信装置（４００）との無線信号の継続的な通信に使用するために、前記第１のビーム（１５０ａ〜１５０Ｍ）と前記第２のビーム（１６０ａ、１６０ｂ）のうちのひとつを選択するよう第１の無線送受信装置（２００）を構成させる、
ネットワークノード（３００）。
【請求項３５】
ビーム選択のために第１の無線送受信装置（２００）を構成するためのネットワークノード（３００）であって、前記第１の無線送受信装置（２００）は、第２の無線送受信装置から前記第１の無線送受信装置（２００）に搬送される無線信号のリンク品質推定値を取得するように構成され、前記ネットワークノード（３００）は、
第１のビーム（１５０ａ〜１５０Ｍ）の前記リンク品質推定値と第２のビーム（１６０ａ、１６０ｂ）の補償されたリンク品質推定値との間の比較に従って、前記第２の無線送受信装置との無線信号の継続的な通信に使用するために、前記第１のビーム（１５０ａ〜１５０Ｍ）と前記第２のビーム（１６０ａ、１６０ｂ）のうちのひとつを選択するよう第１の無線送受信装置（２００）を構成するよう構成された構成モジュール（３１０ａ）を含む、ネットワークノード（３００）。
【請求項３６】
請求項３３乃至３５のいずれか一項に記載のネットワークノード（３００）であって、さらに、請求項２３乃至２７のいずれか一項に記載の方法を実行するように構成されたネットワークノード（３００）。
【請求項３７】
請求項３３乃至３６のいずれか一項に記載のネットワークノード（３００）を含む無線アクセスネットワークノード。
【請求項３８】
ビーム選択のためのコンピュータプログラム（１０２０ａ）であって、前記コンピュータプログラムは、コンピュータコードを含み、前記コンピュータコードは、無線送受信装置（２００）の処理回路（２１０）で実行されるとき、前記無線送受信装置（２００）に、
少なくとも、第１のビームセットから取得された第１のビーム（１５０ａ〜１５０Ｍ）と第２のビーム（１６０ａ、１６０ｂ）とによって、第２の無線送受信装置（４００）から前記無線送受信装置（２００）へと搬送される無線信号のリンク品質推定値を取得させ（Ｓ１０２）、前記第２のビーム（１６０ａ、１６０ｂ）が前記第１のビーム（１５０ａ〜１５０Ｍ）よりも広く、
前記第１のビーム（１５０ａ〜１５０Ｍ）の前記リンク品質推定値と前記第２のビーム（１６０ａ、１６０ｂ）の補償されたリンク品質推定値との間の比較に従って、前記第１のビーム（１５０ａ〜１５０Ｍ）と前記第２のビーム（１６０ａ、１６０ｂ）のどちらかひとつを前記第２の無線送受信装置（４００）との無線信号の継続的な通信に使用するために選択させる（Ｓ１０４）、
コンピュータプログラム（１０２０ａ）。
【請求項３９】
ビーム選択のために第１の無線送受信装置（２００）を構成するためのコンピュータプログラム（１０２０ｂ）であって、前記第１の無線送受信装置（２００）は、第２の無線送受信装置から前記第１の無線送受信装置（２００）に搬送される無線信号のリンク品質推定値を取得するように構成され、前記コンピュータプログラムはコンピュータコードを含み、前記コンピュータコードは、ネットワークノード（３００）の処理回路（３１０）で実行されるときに、前記ネットワークノード（３００）に、
第１のビーム（１５０ａ〜１５０Ｍ）の前記リンク品質推定値と第２のビーム（１６０ａ、１６０ｂ）の補償されたリンク品質推定値との間の比較に従って、前記第２の無線送受信装置との無線信号の継続的な通信に使用するために、前記第１のビーム（１５０ａ〜１５０Ｍ）と前記第２のビーム（１６０ａ、１６０ｂ）のうちのひとつを選択するよう第１の無線送受信装置（２００）を構成させる（２０２）、
コンピュータプログラム（１０２０ｂ）。
【請求項４０】
請求項３８および３９のうちの少なくとも一項に記載のコンピュータプログラム（１０２０ａ、１０２０ｂ）と、前記コンピュータプログラムが格納されるコンピュータ可読記憶媒体（１０３０）とを含むコンピュータプログラム製品（１０１０ａ、１０１０ｂ）。
【発明の詳細な説明】
【技術分野】
【０００１】
本明細書で提示される実施形態は、ビーム選択のための方法、無線送受信装置、コンピュータプログラム、およびコンピュータプログラム製品に関する。本明細書で提示される実施形態はさらに、ビーム選択のために無線送受信装置を構成するための方法、ネットワークノード、コンピュータプログラム、およびコンピュータプログラム製品に関する。
【背景技術】
【０００２】
通信ネットワークでは、所与の通信プロトコル、そのパラメータ、および通信ネットワークが配備される物理的環境に対して良好な性能および能力を得ることが課題となり得る。
【０００３】
例えば、狭いビームの使用に基づく送信方式および受信方式が、伝搬損失を補償するために、高周波数で必要とされることがある。所与の通信リンクについて、一つのビームが、ネットワーク側（ネットワークノードの送受信点（ＴＲＰ）など）およびユーザ側（ネットワークノードによってサービスされる端末装置など）の両方で適用され得る。ビームペアリンク（ＢＰＬ）は、端末装置と通信するためにＴＲＰによって使用されるビーム（ＴＲＰビームと称される）と、ＴＲＰと通信するために端末装置によって使用されるビーム（ＴＤビームと称される）とによって定義される。ＴＲＰビーム及びＴＤビームの各々は、送信及び受信のいずれにも使用することができる。同様に、ダウンリンク通信（ここで、ＴＲＰビームは送信（ＴＸ）ビームであり、ＴＤビームは受信（ＲＸ）ビームである）およびアップリンク通信（ここで、ＴＲＰビームはＲＸビームであり、ＴＤビームはＴＸビームである）のための別個のＢＰＬが存在することができる。
【０００４】
一般的に、ビーム管理手順はＢＰＬを発見し、維持するために使用される。ＢＰＬは、チャネル状態情報参照信号（ＣＳＩ−ＲＳ）のようなビーム管理のために使用されるダウンリンク参照信号に関する測定値を使用して、ネットワークによって発見され、監視されることが期待される。ビーム管理のためのＣＳＩ−ＲＳは、周期的に、半永続的に、または非周期的に（例えば、イベントトリガされて）送信されることができ、それらは、複数の端末装置の間で共有されるか、または装置固有であってよい。
【０００５】
適切なＴＲＰビームを見つけるために、ＴＲＰは、端末装置が参照信号受信電力（ＲＳＲＰ）測定を実行し、Ｎ個の最良のTRP TXビーム（ここで、Ｎの値は、ネットワークによって構成され得る）をレポートバックする、異なるTRP TXビームでＣＳＩ−ＲＳを送信する。さらに、所与のTRP TXビーム上でのＣＳＩ−ＲＳ送信は端末デバイスが適切なＴＤビームを評価することを可能にするために繰り返されることができ、したがっていわゆるTD RXビームトレーニングを可能にする。
【０００６】
端末装置及び／又はネットワークノードのＴＲＰは、アナログビームフォーミング、デジタルビームフォーミング、又はハイブリッドビームフォーミングによってビームフォーミングを実施することができる。各実装は、その利点および欠点を有する。デジタルビームフォーミングの実装は３つのうち最も柔軟な実装であるが、要求される無線チェーンおよびベースバンドチェーンの数が多いために最もコストがかかる。アナログビームフォーミング実装は、デジタルビームフォーミング実装と比較して無線チェーンおよびベースバンドチェーンの数が少ないため、最も柔軟性が低いが、より製造が安価である。ハイブリッドビームフォーミング実装は、アナログビームフォーミング実装とデジタルビームフォーミング実装との間の妥協である。当業者が理解するように、異なる端末装置のコストおよび性能要件に応じて、異なる実装が必要とされる。
【０００７】
ビームペアの確立（例えば、アナログアンテナアレイを有する端末装置のためのTD RXビームトレーニングの例を使用して）の間、端末装置は異なる方向を指し示す狭いペンシルビームを走査し、次いで、測定された最高のＲＳＲＰを与えるTD RXビームを選択することが予想される。狭いビームを使用する１つの理由は、ビームが狭いほどアンテナ利得が高くなることである。そのような狭い高利得ビームは、端末装置によって見られるチャネル内の角度広がりがかなり小さい見通し線チャネルにおいて特に有用である。しかしながら、広いビームを使用することがより有益であり、したがって、端末装置がどのビームを使用するかを選択することが困難である状況があり得る。
【０００８】
したがって、改善されたビーム選択手順が依然として必要とされている。
【発明の概要】
【０００９】
本明細書の実施形態の目的は、効率的なビーム選択手順を提供することである。
【００１０】
第１の態様によれば、ビーム選択のための方法が提示される。この方法は第１の無線送受信装置によって実行される。この方法は、少なくとも、第１のビームセットから取得された第１のビームと第２のビームとによって、第２の無線送受信装置から第１の無線送受信装置に搬送された無線信号のリンク品質推定値を取得することを含む。第２のビームは第１のビームよりも広い。この方法は、第１のビームのリンク品質推定値と第２のビームの補償されたリンク品質推定値との間の比較に従って、第１のビームと第２のビームのどちらかひとつを第２の無線送受信装置との無線信号の継続的な通信に使用するために選択することを含む。
【００１１】
第２の態様によれば、ビーム選択のための無線送受信装置が提示される。この無線送受信装置は処理回路を含む。この処理回路は無線送受信装置に、少なくとも、第１のビームセットから取得された第１のビームと第２のビームとによって、第２の無線送受信装置から無線送受信装置に搬送された無線信号のリンク品質推定値を取得させるように構成される。第２のビームは、第１のビームよりも幅が広い。その処理回路は第１のビームのリンク品質推定値と第２のビームの補償されたリンク品質推定値との間の比較に従って、第１のビームと第２のビームのうちのどちらかひとつを第２の無線送受信装置との無線信号の継続的な通信に使用するために無線送受信装置に選択させるように構成される。
【００１２】
第３の態様によれば、ビーム選択のための無線送受信装置が提示される。無線送受信装置は、処理回路および記憶媒体を備える。この記憶媒体は処理回路によって実行されるときに、無線送受信装置に動作またはステップを実行させる命令を記憶する。この動作またはステップは、無線送受信装置に、少なくとも、第１のビームセットから取得された第１のビームと第２のビームとによって、第２の無線送受信装置から無線送受信装置に搬送された無線信号のリンク品質推定値を取得させる。第２のビームは、第１のビームよりも幅が広い。その動作またはステップは、第１のビームのリンク品質推定値と第２のビームの補償されたリンク品質推定値との間の比較に従って、第１のビームと第２のビームのうちのどちらかひとつを第２の無線送受信装置との無線信号の継続的な通信に使用するために無線送受信装置に選択させる。
【００１３】
第４の態様によれば、ビーム選択のための無線送受信装置が提示される。この無線送受信装置は、少なくとも、第１のビームセットから取得された第１のビームと第２のビームとによって、第２の無線送受信装置から無線送受信装置に搬送された無線信号のリンク品質推定値を取得するよう構成された取得モジュールを含む。第２のビームは第１のビームよりも広い。その無線送受信装置は、第１のビームのリンク品質推定値と第２のビームの補償されたリンク品質推定値との間の比較に従って、第１のビームと第２のビームのどちらかひとつを第２の無線送受信装置との無線信号の継続的な通信に使用すするために選択するよう構成された選択モジュールを含む。
第５の態様によれば、ビーム選択のためのコンピュータプログラムが提示される。このコンピュータプログラムは、無線送受信装置の処理回路上で実行されるときに、無線送受信装置に第１の態様による方法を実行させるコンピュータプログラムコードを含む。
【００１４】
第６の態様によれば、第１の無線送受信装置をビーム選択のために構成する方法が提示される。この第１の無線送受信装置は、少なくとも、第１のビームセットから取得された第１のビームと第２のビームとによって、第２の無線送受信装置から第１の無線送受信装置に搬送された無線信号のリンク品質推定値を取得するよう構成される。第２のビームは第１のビームよりも広い。その方法はネットワークノードによって実行される。その方法は、第１のビームのリンク品質推定値と第２のビームの補償されたリンク品質推定値との間の比較に従って、第２の無線送受信装置との無線信号の継続的な通信に使用するために、第１のビームと第２のビームのうちのひとつを選択するよう第１の無線送受信装置を構成することを含む。
【００１５】
第７の態様によれば、ビーム選択のための第１の無線送受信装置を構成するためのネットワークノードが提示される。この第１の無線送受信装置は、第２の無線送受信装置から第１の無線送受信装置に搬送される無線信号のリンク品質推定値を取得するように構成される。ネットワークノードは処理回路を含む。その処理回路は、ネットワークノードに、第１のビームのリンク品質推定値と第２のビームの補償されたリンク品質推定値との間の比較に従って、第２の無線送受信装置との無線信号の継続的な通信に使用するために、第１のビームと第２のビームのうちのひとつを選択するよう第１の無線送受信装置を構成させるよう構成される。
【００１６】
第８の態様によれば、ビーム選択のための第１の無線送受信装置を構成するためのネットワークノードが提示される。この第１の無線送受信装置は、第２の無線送受信装置から第１の無線送受信装置に搬送される無線信号のリンク品質推定値を取得するように構成される。ネットワークノードは、処理回路および記憶媒体を備える。その記憶媒体は、処理回路によって実行されたときに、ネットワークノードに、第１のビームのリンク品質推定値と第２のビームの補償されたリンク品質推定値との間の比較に従って、第２の無線送受信装置との無線信号の継続的な通信に使用するために、第１のビームと第２のビームのうちのひとつを選択するよう第１の無線送受信装置を構成させる命令を記憶する。
【００１７】
第９の態様によれば、ビーム選択のための第１の無線送受信装置を構成するためのネットワークノードが提示される。この第１の無線送受信装置は、第２の無線送受信装置から第１の無線送受信装置に搬送される無線信号のリンク品質推定値を取得するように構成される。そのネットワークノードは、第１のビームのリンク品質推定値と第２のビームの補償されたリンク品質推定値との間の比較に従って、第２の無線送受信装置との無線信号の継続的な通信に使用するために第１のビームと第２のビームのうちのひとつを選択するよう第１の無線送受信装置を構成するよう構成された構成モジュールを含む。
【００１８】
第１０の態様によれば、ビーム選択のために無線送受信装置を構成するためのコンピュータプログラムが提示され、このコンピュータプログラムはネットワークノードの処理回路上で実行されるときに、ネットワークノードに第６の態様に従う方法を実行させるコンピュータプログラムコードを含む。
【００１９】
第１１の態様によれば、第５の態様と第１０の態様の少なくとも一つに従うコンピュータプログラムと、そのコンピュータプログラムが格納されたコンピュータ可読記憶媒体とを含むコンピュータプログラム製品が提示される。コンピュータ可読記憶媒体は、非一時的コンピュータ可読記憶媒体とすることができる。
【００２０】
有利なことに、これらの方法、これらの無線送受信装置、これらのネットワークノード、およびこれらのコンピュータプログラムは、従来のビーム選択手順を合理化するか、またはより効果的にするために使用することができる効率的なビーム選択を提供する。
【００２１】
有利なことに、これらの方法、これらの無線送受信装置、これらのネットワークノード、およびこれらのコンピュータプログラムは、受信電力の著しい低下をもたらすことなく、ロバストな通信リンクを確立するために使用され得るビームの選択をもたらす。
【００２２】
なお、第１、第２、第３、第４、第５、第６、第７、第８、第９、第１０、第１１の態様のいずれの特徴も、適宜、他の態様に適用することができる。添付の実施形態の他の目的、特徴、および利点は、以下の詳細な開示、添付の従属請求項、ならびに図面から明らかになるのであろう。
【００２３】
一般に、特許請求の範囲において使用される全ての用語は本明細書において特に明確に定義されない限り、技術分野におけるそれらの通常の意味に従って解釈されるべきである。「或る／前記要素、装置、構成要素、手段、モジュール、ステップ等」への参照はすべて、特に明記しない限り、要素、装置、構成要素、手段、モジュール、ステップ等の少なくとも１つのインスタンスを指すものとして開放的に解釈されるべきである。本明細書に開示される任意の方法のステップは明示的に述べられない限り、開示される正確な順序で実行される必要はない。 
【図面の簡単な説明】
【００２４】
本発明の概念は、添付の図面を参照して、例として説明される。
【図１】図１は、実施形態による通信ネットワークを示す概略図である。
【図２】図２、図３、および図４は、実施形態による方法のフローチャートである。
【図３】図２、図３、および図４は、実施形態による方法のフローチャートである。
【図４】図２、図３、および図４は、実施形態による方法のフローチャートである。
【図５】図５は、実施形態によるシグナリング図である。
【図６】図６は、実施形態に係る無線送受信装置の機能部を示す模式図である。
【図７】図７は、実施形態に係る無線送受信装置の機能モジュールを示す模式図である。
【図８】図８は、実施形態に係るネットワークノードの機能部を示す模式図である。
【図９】図９は、実施形態に係るネットワークノードの機能モジュールを示す模式図である。
【図１０】図１０は、実施形態によるコンピュータ可読記憶手段を含むコンピュータプログラム製品の一例を示す。
【発明を実施するための形態】
【００２５】
本発明の概念は、本発明の概念の特定の実施形態が示されている添付の図面を参照して、以下でより完全に説明される。しかしながら、本発明の概念は多くの異なる形態で具現化されてもよく、本明細書に記載された実施形態に限定されるものとして解釈されるべきではなく、むしろ、これらの実施形態は本開示が徹底的かつ完全であり、本発明の概念の範囲を当業者に十分に伝えるように、例として提供される。説明全体を通して、同様の番号は同様の要素を指す。破線によって示されるどのステップまたは特徴も、オプションであるとみなされるべきである。
【００２６】
図１は、本明細書で提示される実施形態を適用することができる通信ネットワーク１００を示す概略図である。通信ネットワーク１００は第３世代（３Ｇ）通信ネットワーク、第４世代（４Ｇ）通信ネットワーク、または第５世代（５Ｇ）通信ネットワークとすることができ、任意の３ＧＰＰ通信規格をサポートする。 
通信ネットワーク１００は、無線送受信装置４００を介して、無線アクセスネットワーク１１０内の無線送受信装置２００へのネットワークアクセスを提供するように構成された少なくとも１つのネットワークノード３００を備える。いくつかの実施形態では、無線送受信装置２００は端末装置の一部であるか、または端末装置と一体化されるか、または端末装置と一緒に配置され、無線送受信装置４００は、無線アクセスネットワークノードまたはＴＲＰの一部であるか、または無線アクセスネットワークノードまたはＴＲＰと一体化されるか、または無線アクセスネットワークノードまたはＴＲＰと一緒に配置される。さらに、いくつかの実施形態では、無線送受信装置４００はネットワークノード３００の一部であるか、またはネットワークノード３００と一体化されるか、またはネットワークノード３００と一緒に配置される。
【００２７】
無線アクセスネットワーク１１０は、コアネットワーク１２０に動作可能に接続される。コアネットワーク１２０もやはり、インターネットなどのサービスネットワーク１３０に動作可能に接続される。したがって、無線送受信装置２００はネットワークノード３００および無線送受信装置４００を介して、サービスネットワーク１３０のサービスにアクセスし、データを交換することが可能とされる。
【００２８】
ネットワークノードの例は、無線アクセスネットワークノード、無線基地局、基地送受信局、ノードＢ、進化型ノードＢ、ギガビットノードＢ、アクセスポイント、およびアクセスノードである。端末装置の例は、無線装置、移動局、移動電話、ハンドセット、無線ローカルループ電話、ユーザ機器（ＵＥ）、スマートフォン、ラップトップコンピュータ、タブレットコンピュータ、ネットワーク装備センサ、ネットワーク装備車両、およびいわゆる物のインターネット装置である。
【００２９】
無線送受信装置２００と無線送受信装置４００とは、互いに通信する際にビームフォーミングを利用するように構成されているものとする。図１では、これは無線送受信装置４００で使用されるビームのための参照番号１４０で集合的に識別され、無線送受信装置２００で使用されるビームのための参照番号１５０ａ、１５０ｂ、１５０ｃ、１５０ｄ、...、１５０Ｍ、１６０ａ、１６０ｂで個々に識別されるビームによって示されている。ビームは送信のみ、または受信のみ、または送信と受信の両方に使用することができる。
【００３０】
以下では、無線送受信装置２００を第１の無線送受信装置と呼び、無線送受信装置４００を第２の無線送受信装置と呼ぶことにする。しかしながら、これは、本明細書に開示された実施形態の説明を単純化する目的のためだけの表記目的のためであり、無線送受信装置２００と無線送受信装置４００との間のいかなる階層的な関係も意味していない。
【００３１】
上述のように、端末装置のような無線送受信装置だけでなく、無線アクセスネットワークノードも、どのビームを使用するかを選択することは困難である。さらに詳細には最良の狭いビーム（すなわち、狭いビームのリンク品質など、いくつかの品質基準に従って「最良」）を選択することは、狭いビームが不十分なロバスト性特性に悩まされるシナリオでは最適ではない可能性がある。広いビームは、通常はいずれかの無線送受信装置の移動、回転、およびブロッキングに対してよりロバストであるが、より低いビームフォーミング利得に起因して、より弱いリンク（すなわち、対応する狭いビームを使用することから生じるリンクのリンク品質など、いくつかの品質基準に従って「弱い」）を提供することができる。
【００３２】
したがって、本明細書で開示される実施形態は、ビーム選択のための機構、およびそのようなビーム選択のための第１の無線送受信装置２００を構成することに関する。そのような機構を得るために、第１の無線送受信装置２００、第１の無線送受信装置２００によって実行される方法、第１の無線送受信装置２００の処理回路上で実行されたときに第１の無線送受信装置２００にその方法を実行させる、例えばコンピュータプログラムの形式のコードを含むコンピュータプログラム製品が提供される。そのような機構を得るために、ネットワークノード３００、ネットワークノード３００によって実行される方法、およびネットワークノード３００の処理回路上で実行されたときにネットワークノード３００にこの方法を実行させる、例えばコンピュータプログラムの形式のコードを含むコンピュータプログラム製品がさらに提供される。
【００３３】
図２および図３は、第１の無線送受信装置２００によって実行されるようなビーム選択のための方法の実施形態を示すフローチャートである。図４は、ネットワークノード３００によって実行されるようなビーム選択のために第１の無線送受信装置２００を構成するための方法の一実施形態を示すフローチャートである。本方法は、有利にはコンピュータプログラム１０２０ａ、１０２０ｂとして提供される。
【００３４】
ここで、一実施形態による第１の無線送受信装置２００によって実行されるビーム選択のための方法を示す図２を参照する。
【００３５】
例えば、ビームトレーニングを実行する場合、第１の無線送受信装置２００は、評価されるべきビームのセット内に１つの広いビームを含むことができる。以下に開示されるように、評価されるビームのセットは、第１の無線送受信装置２００または第２の無線送受信装置４００のいずれかによって生成され、受信または送信のいずれかのために使用され得る。特に、第１の無線送受信装置２００は、ステップＳ１０２を実行するように構成される。
【００３６】
Ｓ１０２：この第１の無線送受信装置２００は、少なくとも、第１のビームセットから取得された第１のビーム１５０ａ〜１５０Ｍと第２のビーム１６０ａ、１６０ｂとによって、第２の無線送受信装置４００から第１の無線送受信装置２００に搬送された無線信号のリンク品質推定値を取得する。第２のビーム１６０ａ、１６０ｂは第１のビーム１５０ａ〜１５０Ｍよりも広い。
【００３７】
少なくともいくつかのシナリオでは、狭いビームが広いビームよりも高いリンク品質を有し（少なくとも、送信機と受信機との間に見通し線があり、狭いビームが見通し線方向を指しているようなシナリオでは）、したがって、第１のビームのリンク品質推定値は第２のビームのリンク品質推定値よりも高いと仮定される。しかし、他方では、広いビームは狭いビームよりもロバストであると仮定される。ここで、ロバスト性は、第１の無線送受信装置２００のブロッキング、移動などの観点から定義することができる。以下、ロバスト性は、第２のビームのリンク品質推定値に適用されるような補償係数によって表される。そして、第１無線送受信装置２００は最高のリンク品質に厳密に基づいてビームを選択する代わりに、リンク品質とロバスト性とを併せて考慮することにより、狭いビームと広いビームとの間のトレードオフとして決定をする。特に、第１の無線送受信装置２００は、ステップＳ１０４を実行するように構成される。
【００３８】
Ｓ１０４：第１の無線送受信装置２００は、第１のビーム１５０ａ〜１５０Ｍおよび第２のビーム１６０ａ、１６０ｂのうちのどちらひとつを使用して、第２の無線送受信装置４００との無線信号の継続的な通信を行うかを選択する。ビームは、第１のビーム１５０ａ〜１５０Ｍのリンク品質推定値と第２のビーム１６０ａ、１６０ｂの補償されたリンク品質推定値との間の比較に従って選択される。
【００３９】
これにより、たとえ広いビームが狭いビームよりも悪いリンク品質を有していても、広いビームが選択されることが可能になり、それによってリンク品質とロバスト性とのバランスをとる。
【００４０】
無線送受信装置２００によって実行されるようなビーム選択のさらなる詳細に関連する実施形態が、ここで開示される。
【００４１】
第１のビームセットから第１のビームを選択するための様々な方法が存在し得る。いくつかの態様では、無線信号のリンク品質推定値が第１のビームセット内のいくつかのビームについて取得され、第１のビームはリンク品質推定値が取得されるすべてのビームの最良のリンク品質推定値を有する。すなわち、一実施形態によれば、第１のビーム１５０ａ〜１５０Ｍは、無線信号が受信されるすべてのビーム１５０ａ〜１５０Ｍ、１６０ａ、１６０ｂの最良のリンク品質推定値を有する。
【００４２】
第１のビームセット内のビーム１５０ａ〜１５０Ｍを選択するための様々な方法が存在し得る。第１のビームセット内に単一のビームのみが存在することもあり得る。他の態様において、第１のビームセットは、異なる指向方向を有する狭いペンシルビームを含む。特に、一実施形態によれば、第１のビームセットは、同じ幅であるが互いに異なる指向方向を有する少なくとも２つのビーム１５０ａ〜１５０Ｍを含む。第２のビーム１６０ａ、１６０ｂは、第１のビームセットのすべてのビーム１５０ａ〜１５０Ｍよりも広い。
【００４３】
第２のビームを選択するための様々な方法が存在し得る。いくつかの態様では、単一の第２のビームが存在する。他の態様では、第２のビームは第２のビームセットから取られる。すなわち、一実施形態によれば、第２のビーム１６０ａ、１６０ｂは第２のビームセットから取り出され、第２のビームセットのすべてのビーム１６０ａ、１６０ｂは第１のビーム１５０ａ〜１５０Ｍより広い。
【００４４】
第１のビーム、第１のビームセット、第２のビーム、および第２のビームセットのさらなる態様は、以下に開示される。
【００４５】
ビームは、第１の無線送受信装置２００または第２の無線送受信装置４００のいずれかに属することができる。 
すなわち、第１の態様によれば、ビームは第１の無線送受信装置２００に属し、したがって、無線信号の受信のために使用される。すなわち、一実施形態によれば、無線信号は、少なくとも第１のビーム１５０ａ〜１５０Ｍおよび第２のビーム１６０ａ、１６０ｂの中で第１の無線送受信装置２００によって受信されることによって搬送される。
【００４６】
さらに、第２の態様によれば、ビームは第２の無線送受信装置４００に属し、したがって、無線信号の送信のために使用される。すなわち、一実施形態によれば、無線信号は、少なくとも第１のビーム１５０ａ〜１５０Ｍおよび第２のビーム１６０ａ、１６０ｂの中で第２の無線送受信装置４００によって送信されることによって搬送される。
【００４７】
したがって、本明細書で開示される本発明の概念は主に、ダウンリンクにおけるTD RXビーム選択を表すものとして説明されるが、本発明の概念はダウンリンクにおけるTRP TXビーム選択、またはアップリンクにおけるTD TXビーム選択あるいはアップリンクにおけるTRP RXビーム選択に等しく適用可能である。
【００４８】
補償されたリンク品質推定値を定義する異なる方法があり得る。いくつかの態様では、補償されたリンク品質推定値が補償値によって定義される。特に、一実施形態によれば、第２のビーム１６０ａ、１６０ｂの補償されたリンク品質推定値は、補償値により増加した第２のビーム１６０ａ、１６０ｂのリンク品質推定値として定義される。したがって、補償値はビーム選択中に使用することができ、補償値は、最良の狭いビーム（第１のビームによって定義される）と広いビーム（第２のビームによって定義される）との間のリンク品質の許容可能な低下を表す。
【００４９】
再び図１を中間的に参照して、ネットワークノード３００が、第１の無線送受信装置２００が５つのTD RXビームを評価することを許可され、したがって、ネットワークノード３００が第２の無線送受信装置４００を介して、同じTRP TXビームで５つの参照信号を送信するTD RXビームトレーニング手順により第１の無線送受信装置２００を構成したと仮定する。第１の無線送受信装置２００は、４つの狭いビーム（ビーム１５０ａ、１５０ｂ、１５０ｃ、１５０ｄ、以下、Ｂ１、Ｂ２、Ｂ３、Ｂ４と示す）および１つの広いビーム（ビーム１６０ａ、以下、Ｂ５と示す）を評価することを決定する。TD RXビームのＲＳＲＰが以下のようになったと仮定する。Ｂ１＝−１００ｄＢｍ、Ｂ２＝−９５ｄＢｍ、Ｂ３＝−１１０ｄＢｍ、Ｂ４＝−１２０ｄＢｍ、Ｂ５＝−９７ｄＢｍ。
【００５０】
許容可能な劣化が例えばx dBであり、ここで、ｘ＞０であり、ｘが補償値を定義する場合、広いTD RXビームのＲＳＲＰが最良の狭いTD RXビームのＲＳＲＰよりもx dB悪いならば、第１の無線送受信装置２００は、ワイドTD RXビームを選択する。さらに、広いビームに対する補正値が３ｄＢであると仮定すると、これは、広いビームが最良の狭いビームと比較して３ｄＢ未満低いＲＳＲＰを有する場合、第１の無線送受信装置２００が広いビームを選択すべきであることを意味する。この例示的な例では最良のビームＢ２が広いビームと比較して２ｄＢだけ高いＲＳＲＰを有し、したがって、第１の無線送受信装置２００は広いビームＢ５を使用することを選択する。
【００５１】
補償値を決定するための様々な方法が存在し得る。
【００５２】
いくつかの態様では、補償値は、第１の無線送受信装置２００がどのように移動しているかを考慮する。一実施形態によれば、補償値は、第１の無線送受信装置２００の現在の速度、現在の回転速度、および以前のブロッキング統計値のうちの少なくとも１つに依存する。通常、第１の無線送受信装置２００の速度が速ければ速いほど、第１の無線送受信装置２００の回転が速いほど、および／または第１の無線送受信装置２００がブロッキングを経験する危険性が高くなるほど、広いビームの補償値が大きくなり得る。したがって、補償値は、選択されたビームカバレージエリアの高い予想変動およびビームリンクを失うことの予想コストに対してより大きなリンク品質損失が許容されるように適応的に設定することができる。
【００５３】
いくつかの態様では、補償値は、別の狭いビームのリンク品質がどれだけ悪いかを考慮する。特に、一実施形態によれば、補償値は、第１のビームセットから取得された第２の第１のビーム１５０ａ〜１５０Ｍで受信された無線信号のリンク品質推定値に依存する。
【００５４】
いくつかの態様では、いわゆる別の狭いビームが最良の狭いビームに隣接している。すなわち、一実施形態によれば、第１のビーム１５０ａ〜１５０Ｍおよび第２の第１のビーム１５０ａ〜１５０Ｍは、ビーム空間内の隣接するビームである。
【００５５】
いくつかの態様では、いわゆる別の狭いビームが二番目に良い狭いビームである。すなわち、一実施形態によれば、第２の第１のビーム１５０ａ〜１５０Ｍは、第１のビーム１５０ａ〜１５０Ｍのみよりも悪いリンク品質推定値を有する。
【００５６】
いずれの隣接する狭いビームも、最良の狭いビームとほぼ同じリンク品質を有する場合、無線伝搬チャネルは第１の無線送受信装置２００の回転に対してかなりロバストであり、したがって、低い補償値を使用することができる。
【００５７】
いくつかの態様では、各広いビームはそれ自体の補償値を有する。したがって、異なる劣化補償値を有する、３つ以上の異なるビーム幅（例えば、標準的な狭いビーム＋中間幅＋広い幅）が存在し得る。すなわち、一実施形態によれば、第２のビームセットは少なくとも２つの異なる幅のビーム１６０ａ、１６０ｂを含み、その各々の幅は、リンク品質推定値を補償するためのそれぞれの補償値に関連付けられる。
【００５８】
通常のデータ送信中または専用ビームトレーニング中など、リンク品質推定値が取得される異なる機会が存在する可能性がある。したがって、一実施形態によれば、リンク品質推定値は、第１の無線送受信装置２００のビームトレーニング手順中に取得される。
【００５９】
リンク品質推定の異なる例があり得る。例えば、リンク品質推定値は、参照信号受信電力（ＲＳＲＰ）、または信号対干渉比（ＳＩＲ）、または信号対干渉雑音比（ＳＩＮＲ）に関して得ることができる。
【００６０】
リンク品質推定値が得られる信号の異なる例があり得る。いくつかの態様では、推定値が無線信号中の参照信号の測定値から取得される。特に、無線信号はアップリンクサウンディング参照信号（ＳＲＳ）またはダウンリンクチャネル状態情報参照信号（ＣＳＩ−ＲＳ）などの参照信号を含むことができ、リンク品質推定値は、参照信号について得ることができる。
【００６１】
ステップＳ１０４において第１の無線送受信装置２００が選択をどのように実行するかを知るための異なる方法が存在し得る。使用するビームを選択する方法は、第１の無線送受信装置２００においてハードコーディングされるか、または第１の無線送受信装置２００が、使用するビームを選択する方法を別の装置によって構成される。特に、一実施形態によれば、第１のビーム１５０ａ〜１５０Ｍおよび第２のビーム１６０ａ、１６０ｂのうちのどちらを使用して第２の無線送受信装置４００との無線信号の継続的な通信を行うかを選択する方法がネットワーク情報により構成される。このネットワーク情報は、第１の無線送受信装置２００によってネットワークノード３００から取得することができる。
【００６２】
ビームを生成するための異なる方法があり得る。いくつかの態様では、ビームは位相シフトのみを使用して生成される。特に、一実施形態によれば、少なくとも第１のビーム１５０ａ〜１５０Ｍおよび第２のビーム１６０ａ、１６０ｂは、アンテナアレイのアンテナ素子のビームフォーミングによって生成され、ビームフォーミングはアンテナ素子に位相シフトを適用することのみからなる。他の態様では、ビームが振幅テーパリングと位相シフトの組み合わせを使用して生成される。特に、別の実施形態によれば、少なくとも第１のビーム１５０ａ〜１５０Ｍおよび第２のビーム１６０ａ、１６０ｂはアンテナアレイのアンテナ素子のビームフォーミングによって生成され、ビームフォーミングはアンテナ素子に位相シフトおよび振幅テーパリングの組合せを適用することを含む。したがって、アナログアンテナアレイの位相設定を変化させるだけで、またはアナログアンテナアレイの位相設定および振幅設定の両方を変化させることで、広いビームならびに狭いビームを生成することができる。アナログアレイが二重偏波である場合、ＷＯ２０１１／０５０８６６Ａ１およびＷＯ２０１６１４１９６１Ａ１にさらに記載されているように、いわゆる二重偏波ビームフォーミングを使用して、ビームを生成することができる。しかしながら、本発明の概念は、基礎となるビーム形成ハードウェア構造に関係なく適用することができる。したがって、本実施形態はアナログビームフォーミングの使用を説明するが、本発明の概念はデジタルビームフォーミングに等しく適用可能であり、その場合、ネットワークノード３００は、第２の無線送受信装置４００を介して無線信号中で単一のＣＳＩ−ＲＳを送信し、異なるビームオプションは受信された無線信号中のＣＳＩ−ＲＳを推定する第１の無線送受信装置２００によって評価される。
【００６３】
ここで、更なる実施形態による無線送受信装置２００によって実行されるビーム選択のための方法を示す図３を参照する。なお、ステップＳ１０２、Ｓ１０４は、図２を参照して上述したように行われるものとするため、その繰り返しの説明は省略する。
【００６４】
上記に開示されたことを考慮して、広いビーム（第２のビームによって定義される）は、その性能が狭いビーム（第１のビームによって定義される）の性能よりも著しく悪くない（補償値によって定義される）場合に選択される。特に、一実施形態によれば、第１の無線送受信装置２００は、ステップＳ１０４における選択の一部としてステップＳ１０４ａを実行するように構成される。
【００６５】
Ｓ１０４ａ：第１の無線送受信装置２００は、第２のビーム１６０ａ、１６０ｂのリンク品質推定値が第１のビーム１５０ａ〜１５０Ｍのリンク品質推定値の補償値内にある場合にのみ、第２の無線送受信装置４００との無線信号の継続的な通信のために第２のビーム１６０ａ、１６０ｂを使用することを選択する。
【００６６】
すなわち、第２のビーム１６０ａ、１６０ｂは、補償値によって補償された第２のビーム１６０ａ、１６０ｂのリンク品質推定値が第１のビーム１５０ａ〜１５０Ｍのリンク品質推定値よりも悪くない場合に選択される。
【００６７】
さもなければ、（第１のビームによって規定されるよう）狭いビームが選択される。特に、一実施形態によれば、第１の無線送受信装置２００は、ステップＳ１０４における選択の一部としてステップＳ１０４ｂを実行するように構成される。
【００６８】
Ｓ１０４ｂ：第１の無線送受信装置２００は、第２のビーム１６０ａ、１６０ｂのリンク品質推定値が第１のビーム１５０ａ〜１５０Ｍのリンク品質推定値の補償値内にない場合に、第２の無線送受信装置４００との無線信号の継続的な通信のために第１のビーム１５０ａ〜１５０Ｍを使用することを選択する。
【００６９】
すなわち、第１のビーム１５０ａ〜１５０Ｍは、補償値によって補償された第２のビーム１６０ａ、１６０ｂのリンク品質推定値が第１のビーム１５０ａ〜１５０Ｍのリンク品質推定値よりもさらに悪い場合に選択される。
【００７０】
ビームが選択されると、それを、第１の無線送受信装置２００と第２の無線送受信装置４００との間の通信中に使用することができる。特に、第１の無線送受信装置２００は、ステップＳ１０６を実行するように構成される。
【００７１】
Ｓ１０６：第１の無線送受信装置２００は、選択されたビームを使用して第２の無線送受信装置４００と通信する。上記で開示されたことを考慮して、選択されたビームは、第１の無線送受信装置２００または第２の無線送受信装置４００のいずれかに属することができる。
【００７２】
ここで、一実施形態による、ネットワークノード３００によって実行されるようなビーム選択のために無線送受信装置２００を構成するための方法を示す図４を参照する。
【００７３】
上述したように、この第１の無線送受信装置２００は、少なくとも、第１のビームセットから取得された第１のビーム１５０ａ〜１５０Ｍと第２のビーム１６０ａ、１６０ｂとによって、第２の無線送受信装置４００から第１の無線送受信装置２００に搬送された無線信号のリンク品質推定値を取得するよう構成される。第２のビーム１６０ａ、１６０ｂは第１のビーム１５０ａ〜１５０Ｍよりも広い。
【００７４】
いくつかの態様では、どのビームを使用するかを選択する方法を第１の無線送受信装置２００に構成するのはネットワークノード３００である。したがって、ネットワークノード３００は、ステップＳ２０２を実行するように構成される。
【００７５】
Ｓ２０２：ネットワークノード３００は第２の無線送受信装置４００との無線信号の継続的な通信のために、第１のビーム１５０ａ〜１５０Ｍおよび第２のビーム１６０ａ、１６０ｂのうちの１つを使用することを選択するように第１の無線送受信装置２００を構成する。ビームは、第１のビーム１５０ａ〜１５０Ｍのリンク品質推定値と第２のビーム１６０ａ、１６０ｂの補償されたリンク品質推定値との間の比較に従って選択される。
【００７６】
次に、ネットワークノード３００によって実行されるようなビーム選択のために無線送受信装置２００を構成することのさらなる詳細に関連する実施形態を開示する。
【００７７】
一般的に、第１の無線送受信装置２００によって実行される方法を参照して上述した実施形態は、ネットワークノード３００に等しく適用可能である。
【００７８】
したがって、上述したことを参照すると、一実施形態によれば、無線信号は、少なくとも第１のビーム１５０ａ〜１５０Ｍおよび第２のビーム１６０ａ、１６０ｂの中で第１の無線送受信装置２００によって受信されることによって搬送される。
【００７９】
したがって、上述したことをさらに参照すると、一実施形態によれば、無線信号は、少なくとも第１のビーム１５０ａ〜１５０Ｍおよび第２のビーム１６０ａ、１６０ｂの中で第２の無線送受信装置４００によって送信されることによって搬送される。
【００８０】
したがって、上述したことをさらに参照すると、一実施形態によれば、第２のビーム１６０ａ、１６０ｂの補償されたリンク品質推定値は、補償値により増加した第２のビーム１６０ａ、１６０ｂのリンク品質推定値として定義される。
【００８１】
したがって、上述したことをさらに参照すると、一実施形態によれば、第１の無線送受信装置２００は、ネットワークノード３００により、第２のビーム１６０ａ、１６０ｂのリンク品質推定値が第１のビーム１５０ａ〜１５０Ｍのリンク品質推定値よりも悪い補償値内にある場合にのみ、第２の無線送受信装置４００との無線信号の継続的な通信のために第２のビーム１６０ａ、１６０ｂを使用することを選択するよう構成される。
【００８２】
したがって、上述したことをさらに参照すると、一実施形態によれば、第１の無線送受信装置２００は、ネットワークノード３００により、第２のビーム１６０ａ、１６０ｂのリンク品質推定値が第１のビーム１５０ａ〜１５０Ｍのリンク品質推定値よりも悪い補償値内にない場合に、第２の無線送受信装置４００との無線信号の継続的な通信のために第１のビーム１５０ａ〜１５０Ｍを使用することを選択するよう構成される。
【００８３】
ビーム選択のための、および上述した実施形態のうちの少なくともいくつかに基づいてビーム選択のために第１の無線送受信装置２００を構成するための、１つの特定の実施形態が、ここで詳細に開示される。
【００８４】
Ｓ３０１：ネットワークノード３００はTD RXビームトレーニング手順を構成し、これを第１の無線送受信装置２００にシグナリングする。ステップＳ３０１を実施する１つの方法は、ステップＳ２０２を実行することである。
【００８５】
Ｓ３０２：第１の無線送受信装置２００は、どのTD RXビームを評価するかを決定する。ここで、TD RXビームのうちの少なくとも１つは、残りのTD RXビームと比較してより大きいビーム幅を有する。 
Ｓ３０３：第２の無線送受信装置４００は、TD RXビームトレーニング構成に従ってＣＳＩ−ＲＳを送信する。 
Ｓ３０４：第１の無線送受信装置２００は決定されたTD RXビームをスイープし、それらのそれぞれについてＲＳＲＰ測定を実行する。ステップＳ３０４を実行する１つの方法は、ステップＳ１０２を実行することである。
【００８６】
Ｓ３０５：第１の無線送受信装置２００は、異なる要因に基づいて補償値を決定する（詳細については上記を参照）。 
Ｓ３０６：第１の無線送受信装置２００は、ＲＳＲＰおよび補償値に基づいて最良のWD RXビームを選択し、選択されたビームを、到来するダウンリンク受信のために（およびオプションで、アップリンク送信のためのTD TXビームとしても）使用する。ステップＳ３０６を実行する１つの方法は、ステップＳ１０４、Ｓ１０４ａ、Ｓ１０４ｂおよびＳ１０６を実行することである。
【００８７】
図６は、いくつかの機能ユニットに関して、一実施形態による無線送受信装置２００の構成要素を概略的に示す。処理回路２１０は、コンピュータプログラム製品１０１０ａ（図１０におけるように）に、例えば記憶媒体２３０の形で格納されたソフトウェア命令を実行することができる、適切な中央処理装置（ＣＰＵ）、マルチプロセッサ、マイクロコントローラ、デジタル信号プロセッサ（ＤＳＰ）などのうちの１つまたは複数の任意の組合せを使用して提供される。処理回路２１０はさらに、少なくとも１つの特定用途向け集積回路（ＡＳＩＣ）またはフィールドプログラマブルゲートアレイ（ＦＰＧＡ）として提供されてもよい。
【００８８】
具体的には、処理回路２１０が上述したように、無線送受信装置２００に、１組の動作すなわちステップＳ１０２−Ｓ１０６、Ｓ３０２、Ｓ３０４、Ｓ３０５、Ｓ３０６を実行させるように構成される。例えば、記憶媒体２３０は１組の動作を記憶することができ、処理回路２１０は無線送受信装置２００に１組の動作を実行させるために、記憶媒体２３０から１組の動作を取り出すように構成されてよい。１組の動作は、１組の実行可能命令として提供されてもよい。したがって、処理回路２１０は、本明細書で開示される方法を実行するように構成される。
【００８９】
記憶媒体２３０はまた、例えば、磁気メモリ、光メモリ、固体メモリ、または遠隔に取り付けられたメモリのいずれか１つ、またはそれらの組合せとすることができる永続的記憶装置を含むことができる。
【００９０】
無線送受信装置２００はさらに、少なくとも無線送受信装置４００およびネットワークノード３００との通信のための通信インターフェース２２０を備えてよい。したがって、通信インターフェース２２０は、アナログおよびデジタル構成要素を備える１つまたは複数の送信機および受信機を備えていてよい。
【００９１】
処理回路２１０は例えば、通信インターフェース２２０および記憶媒体２３０にデータおよび制御信号を送信することによって、通信インターフェース２２０からデータおよびレポートを受信することによって、ならびに記憶媒体２３０からデータおよび命令を取り出すことによって、無線送受信装置２００の一般的な動作を制御する。無線送受信装置２００の他の構成要素、ならびに関連する機能は、本明細書で提示される概念を曖昧にしないために省略される。
【００９２】
図７は、いくつかの機能モジュールに関して、一実施形態による無線送受信装置２００の構成要素を概略的に示す。図７の無線送受信装置２００は、いくつかの機能モジュール、ステップＳ１０２を実行するように構成された取得モジュール２１０ａと、ステップＳ１０４を実行するように構成された第１の選択モジュール２１０ｂとを含む。図７の無線送受信装置２００は、ステップＳ１０４ａを実行するように構成された第２の選択モジュール２１０ｃ、ステップＳ１０４ｂを実行するように構成された第３の選択モジュール２１０ｄ、およびステップＳ１０６を実行するように構成された通信モジュール２１０ｅのうちの任意のものなど、いくつかのオプションの機能モジュールをさらに含むことができる。一般的に言えば、各機能モジュール２１０ａ〜２１０ｅは、ハードウェアまたはソフトウェアで実装することができる。好ましくは、１つ以上または全ての機能モジュール２１０ａ〜２１０ｅがおそらく通信インターフェース２２０および／または記憶媒体２３０と協働して、処理回路２１０によって実装されてもよい。処理回路２１０は記憶媒体２３０から、機能モジュール２１０ａ〜２１０ｅによって提供される命令をフェッチし、これらの命令を実行し、それによって、本明細書で開示されるような無線送受信装置２００の任意のステップを実行するように構成され得る。
【００９３】
無線送受信装置２００は、スタンドアロン装置として、または少なくとも１つのさらなる装置の一部として提供され得る。例えば、上述したように、無線送受信装置２００は、端末装置の一部であってもよく、端末装置と一体化されていてもよく、または端末装置と並置されていてもよい。
【００９４】
図８は、いくつかの機能ユニットに関して、一実施形態によるネットワークノード３００の構成要素を概略的に示す。処理回路３１０は、コンピュータプログラム製品１０１０ｂ（図１０に示すように）に、例えば記憶媒体３３０の形で格納されたソフトウェア命令を実行することができる、適切な中央処理装置（ＣＰＵ）、マルチプロセッサ、マイクロコントローラ、デジタル信号プロセッサ（ＤＳＰ）などのうちの１つまたは複数の任意の組合せを使用して提供される。処理回路３１０はさらに、少なくとも１つの特定用途向け集積回路（ＡＳＩＣ）またはフィールドプログラマブルゲートアレイ（ＦＰＧＡ）として提供されてもよい。
【００９５】
具体的には、処理回路３１０が上記で開示されたように、ネットワークノード３００に、１組の動作すなわちステップＳ２０２、Ｓ３０１、Ｓ３０３を実行させるように構成される。例えば、記憶媒体３３０は１組の動作を記憶することができ、処理回路３１０はネットワークノード３００に１組の動作を実行させるために、記憶媒体３３０から１組の動作を取り出すように構成されてよい。１組の動作は、１組の実行可能命令として提供されてもよい。したがって、処理回路３１０は、本明細書で開示される方法を実行するように構成される。
【００９６】
記憶媒体３３０はまた、例えば、磁気メモリ、光メモリ、固体メモリ、または遠隔に取り付けられたメモリのいずれか１つ、またはそれらの組合せとすることができる永続的記憶装置を含むことができる。
【００９７】
ネットワークノード３００はさらに、無線送受信装置２００および無線送受信機３００との通信のための通信インターフェース３２０を備えてよい。したがって、通信インターフェース３２０は、アナログおよびデジタル構成要素を備える１つまたは複数の送信機および受信機を備えていてよい。
【００９８】
処理回路３１０は例えば、通信インターフェース３２０および記憶媒体３３０にデータおよび制御信号を送信することによって、通信インターフェース３２０からデータおよびレポートを受信することによって、ならびに記憶媒体３３０からデータおよび命令を取り出すことによって、ネットワークノード３００の一般的な動作を制御する。ネットワークノード３００の他の構成要素、ならびに関連する機能は、本明細書で提示される概念を曖昧にしないために省略される。
【００９９】
図９は、いくつかの機能モジュールに関して、一実施形態によるネットワークノード３００の構成要素を概略的に示す。図９のネットワークノード３００は、ステップＳ２０２を実行するように構成された構成モジュール３１０ａを備える。図９のネットワークノード３００は、モジュール３１０ｂによって例示されるような、いくつかのオプションの機能モジュールをさらに備えることができる。一般的に言えば、各機能モジュール３１０ａ〜３１０ｂは、ハードウェアまたはソフトウェアで実装することができる。好ましくは、１つ以上または全ての機能モジュール３１０ａ〜３１０ｂがおそらく通信インターフェース３２０および／または記憶媒体３３０と協働して、処理回路３１０によって実装されてもよい。処理回路３１０は記憶媒体３３０から、機能モジュール３１０ａ〜３１０ｂによって提供される命令をフェッチし、これらの命令を実行し、それによって、本明細書で開示されるようなネットワークノード３００の任意のステップを実行するように構成され得る。
【０１００】
ネットワークノード３００は、スタンドアロン装置として、または少なくとも１つのさらなる装置の一部として提供され得る。例えば、ネットワークノード３００は、無線アクセスネットワークのノード又はコアネットワークのノードに設けられてもよい。あるいは、ネットワークノード３００の機能は少なくとも２つの装置またはノードの間で分散され得る。これらの少なくとも２つのノードまたは装置は、（無線アクセスネットワークまたはコアネットワークなどの）同じネットワーク部分の一部であってもよく、または少なくとも２つのそのようなネットワーク部分の間に分散されていてもよい。
【０１０１】
したがって、ネットワークノード３００によって実行される命令の第１の部分は第１の装置において実行されることができ、ネットワークノード３００によって実行される命令の第２の部分は第２の装置において実行されることができ、本明細書で開示される実施形態は、ネットワークノード３００によって実行される命令が実行されることができる任意の特定の数の装置に限定されない。したがって、本明細書で開示される実施形態による方法は、クラウド計算環境に存在するネットワークノード３００によって実行されるのに適している。したがって、単一の処理回路３１０が図８に示されているが、処理回路３１０は複数デバイスまたはノードの間で分散されてもよい。図９の機能モジュール３１０ａ〜３１０ｂおよび図１０のコンピュータプログラム１０２０ｂ（下記参照）についても同様である。
【０１０２】
図１０は、コンピュータ可読手段１０３０を含むコンピュータプログラム製品１０１０ａ、１０１０ｂの一例を示す。このコンピュータ可読手段１０３０上には、コンピュータプログラム１０２０aを格納することができ、このコンピュータプログラム１０２０ａは、処理回路２１０と、通信インターフェース２２０および記憶媒体２３０などの、それに動作可能に結合されたエンティティおよびデバイスとに、本明細書で説明する実施形態による方法を実行させることができる。したがって、コンピュータプログラム１０２０ａおよび／またはコンピュータプログラム製品１０１０ａは、本明細書で開示されるような無線送受信装置２００の任意のステップを実行するための手段を提供し得る。このコンピュータ可読手段１０３０上には、コンピュータプログラム１０２０ｂを格納することができ、このコンピュータプログラム１０２０ｂは、処理回路３１０と、通信インターフェース320および記憶媒体３３０などの、それに動作可能に結合されたエンティティおよびデバイスとに、本明細書で説明する実施形態による方法を実行させることができる。したがって、コンピュータプログラム１０２０ｂおよび／またはコンピュータプログラム製品１０１０ｂは、本明細書で開示されるネットワークノード３００の任意のステップを実行するための手段を提供することができる。
【０１０３】
図１０の例では、コンピュータプログラム製品１０１０ａ、１０１０ｂがＣＤ(コンパクトディスク）またはＤＶＤ(デジタル多用途ディスク）またはブルーレイディスクなどの光ディスクとして示されている。コンピュータプログラム製品１０１０ａ、１０１０ｂはまた、ランダムアクセスメモリ（ＲＡＭ）、リードオンリメモリ（ＲＯＭ）、消去可能プログラマブルリードオンリメモリ（ＥＰＲＯＭ）、または電気的消去可能プログラマブルリードオンリメモリ（ＥＥＰＲＯＭ）などのメモリとして、より具体的には、ＵＳＢ(ユニバーサルシリアルバス）メモリなどの外部メモリまたはコンパクトフラッシュメモリなどのフラッシュメモリ内の装置の不揮発性記憶媒体として具現化され得る。したがって、ここではコンピュータプログラム１０２０ａ、１０２０ｂが図示された光ディスク上のトラックとして概略的に示されているが、コンピュータプログラム１０２０ａ。１０２０ｂはコンピュータプログラム製品１０１０ａ、１０１０ｂに適した任意の方法で格納することができる。
【０１０４】
本発明の概念は主に、いくつかの実施形態を参照して上述されている。しかしながら、当業者には容易に理解されるように、上記に開示されたもの以外の他の実施形態も、添付の特許請求の範囲によって定義されるように、本発明の概念の範囲内で等しく可能である。
【図１】
2020520568.tif 000003
【図２】
2020520568.tif 000004
【図３】
2020520568.tif 000005
【図４】
2020520568.tif 000006
【図５】
2020520568.tif 000007
【図６】
2020520568.tif 000008
【図７】
2020520568.tif 000009
【図８】
2020520568.tif 000010
【図９】
2020520568.tif 000011
【図１０】
2020520568.tif 000012
【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
第１の無線送受信装置（２００）によって実行されるビーム選択のための方法であって、
少なくとも、第１のビームセットから取得された第１のビーム（１５０ａ〜１５０Ｍ）と第２のビーム（１６０ａ、１６０ｂ）とによって、第２の無線送受信装置（４００）から第１の無線送受信装置（２００)へと搬送される無線信号のリンク品質推定値を取得すること（Ｓ１０２）であって、前記第２のビーム（１６０ａ、１６０ｂ）が前記第１のビーム（１５０ａ〜１５０Ｍ）よりも広いことと、
前記第１のビーム（１５０ａ〜１５０Ｍ）の前記リンク品質推定値と前記第２のビーム（１６０ａ、１６０ｂ）の補償されたリンク品質推定値との間の比較に従って、前記第１のビーム（１５０ａ〜１５０Ｍ）と前記第２のビーム（１６０ａ、１６０ｂ）のうちのどちらかひとつを前記第２の無線送受信装置（４００）との無線信号の継続的な通信に使用するために選択すること（Ｓ１０４）であって、前記第２のビーム（１６０ａ、１６０ｂ）の前記補償されたリンク品質推定値は、補償値により増加した前記第２のビーム（１６０ａ、１６０ｂ）の前記リンク品質推定値として定義されることと、
を含む方法。
【請求項２】
請求項１に記載の方法であって、前記無線信号は、少なくとも前記第１のビーム（１５０ａ〜１５０Ｍ）と前記第２のビーム（１６０ａ、１６０ｂ）の中で前記第１の無線送受信装置（２００）によって受信されることで搬送される、方法。
【請求項３】
請求項１に記載の方法であって、前記無線信号は、少なくとも前記第１のビーム（１５０ａ〜１５０Ｍ）と前記第２のビーム（１６０ａ、１６０ｂ）の中で前記第２の無線送受信装置（４００）によって送信されることで搬送される、方法。
【請求項４】
請求項１に記載の方法であって、前記選択することはさらに、
前記第２のビーム（１６０ａ、１６０ｂ）の前記リンク品質推定値が前記第１のビーム（１５０ａ〜１５０Ｍ）の前記リンク品質推定値の前記補償値内にある場合にのみ、前記第２の無線送受信装置（４００）との無線信号の継続的な通信のために前記第２のビーム（１６０ａ、１６０ｂ）を使用することを選択すること（Ｓ１０４ａ）
を含む方法。
【請求項５】
請求項１または４に記載の方法であって、前記選択することはさらに、
前記第２のビーム１６０ａ、１６０ｂの前記リンク品質推定値が前記第１のビーム１５０ａ〜１５０Ｍの前記リンク品質推定値の前記補償値内にない場合に、前記第２の無線送受信装置４００との無線信号の継続的な通信のために前記第１のビーム１５０ａ〜１５０Ｍを使用することを選択すること（Ｓ１０４ｂ）
を含む方法。
【請求項６】
請求項１乃至５のいずれか一項に記載の方法であって、前記第１のビーム（１５０ａ〜１５０Ｍ）は、前記無線信号が受信されるすべてのビーム（１５０ａ〜１５０Ｍ、１６０ａ、１６０ｂ）の最良のリンク品質推定値を有する、方法。
【請求項７】
請求項１乃至６のいずれか一項に記載の方法であって、前記第１のビームセットは、同じ幅であるが互いに異なる指向方向を有する少なくとも２つのビーム（１５０ａ〜１５０Ｍ）を含み、前記第２のビーム（１６０ａ、１６０ｂ）は前記第１のビームセットの全てのビーム（１５０ａ〜１５０Ｍ）よりも広い、方法。
【請求項８】
請求項１乃至７のいずれか一項に記載の方法であって、前記第２のビーム（１６０ａ、１６０ｂ）は第２のビームセットから取得され、前記第２のビームセットのすべてのビーム（１６０ａ、１６０ｂ）は前記第１のビーム（１５０ａ〜１５０Ｍ）より広い、方法。
【請求項９】
請求項８に記載の方法であって、前記第２のビームセットは少なくとも２つの異なる幅のビーム（１６０ａ、１６０ｂ）を含み、その各々の幅は、前記リンク品質推定値を補償するためのそれぞれの補償値に関連付けられる、方法。
【請求項１０】
請求項１に記載の方法であって、前記補償値は、前記第１の無線送受信装置（２００）の現在の速度、現在の回転速度、および以前のブロッキング統計値のうちの少なくとも１つに依存する、方法。
【請求項１１】
請求項１に記載の方法であって、前記補償値は、前記第１のビームセットから取得された第２の第１のビーム（１５０ａ〜１５０Ｍ）で受信された前記無線信号のリンク品質推定値に依存する、方法。
【請求項１２】
請求項１１に記載の方法であって、ビーム空間内で、前記第１のビーム（１５０ａ〜１５０Ｍ）および前記第２の第１のビーム（１５０ａ〜１５０Ｍ）は隣接するビームである、方法。
【請求項１３】
請求項１１または１２に記載の方法であって、前記第２の第１のビーム（１５０ａ〜１５０Ｍ）は、前記第１のビーム（１５０ａ〜１５０Ｍ）のみよりも悪いリンク品質推定値を有する、方法。
【請求項１４】
請求項１乃至１３のいずれか一項に記載の方法であって、前記リンク品質推定値は、前記第１の無線送受信装置（２００）のビームトレーニング手順中に取得される、方法。
【請求項１５】
請求項１乃至１４のいずれか一項に記載の方法であって、前記リンク品質推定値は、参照信号受信電力（ＲＳＲＰ）、または信号対干渉比（ＳＩＲ）、または信号対干渉雑音比（ＳＩＮＲ）に関して取得される、方法。
【請求項１６】
請求項１乃至１５のいずれか一項に記載の方法であって、前記無線信号はアップリンクサウンディング参照信号（ＳＲＳ）またはダウンリンクチャネル状態情報参照信号（ＣＳＩ−ＲＳ）などの参照信号を含み、前記リンク品質推定値は、前記参照信号について取得される、方法。
【請求項１７】
請求項１乃至１６のいずれか一項に記載の方法であって、前記第２の無線送受信装置（４００）との無線信号の継続的な通信に使用するために前記第１のビーム（１５０ａ〜１５０Ｍ）と前記第２のビーム（１６０ａ、１６０ｂ）のどちらかひとつを選択する方法がネットワーク情報により構成される、方法。
【請求項１８】
請求項２に記載の方法であって、前記少なくとも第１のビーム（１５０ａ〜１５０Ｍ）および前記第２のビーム（１６０ａ、１６０ｂ）は、アンテナアレイのアンテナ素子のビームフォーミングによって生成され、前記ビームフォーミングは前記アンテナ素子に位相シフトを適用することのみからなる、方法。
【請求項１９】
請求項２に記載の方法であって、前記少なくとも第１のビーム１５０ａ〜１５０Ｍ）および前記第２のビーム（１６０ａ、１６０ｂ）はアンテナアレイのアンテナ素子のビームフォーミングによって生成され、前記ビームフォーミングは前記アンテナ素子に位相シフトおよび振幅テーパリングの組合せを適用することを含む、方法。
【請求項２０】
請求項１乃至１９のいずれか一項に記載の方法であって、さらに、
前記選択されたビームを用いて前記第２の無線送受信装置（４００）と通信すること（Ｓ１０６）
を含む方法。
【請求項２１】
第１の無線送受信装置（２００）をビーム選択のために構成する方法であって、前記第１の無線送受信装置（２００）は、少なくとも、第１のビームセットから取得された第１のビーム（１５０ａ〜１５０Ｍ）と第２のビーム（１６０ａ、１６０ｂ）とによって、第２の無線送受信装置（４００）から前記第１の無線送受信装置（２００）へと搬送される無線信号のリンク品質推定値を取得するように構成され、前記第２のビーム（１６０ａ、１６０ｂ）は前記第１のビーム（１５０ａ〜１５０Ｍ）よりも広く、前記方法はネットワークノード（３００）によって実行され、前記方法は、
前記第１のビーム（１５０ａ〜１５０Ｍ）の前記リンク品質推定値と前記第２のビーム（１６０ａ、１６０ｂ）の補償されたリンク品質推定値との間の比較に従って、前記第２の無線送受信装置（４００）との無線信号の継続的な通信に使用するために、前記第１のビーム（１５０ａ〜１５０Ｍ）と前記第２のビーム（１６０ａ、１６０ｂ）のうちのひとつを選択するよう第１の無線送受信装置（２００）を構成すること（２０２）であって、前記第２のビーム（１６０ａ、１６０ｂ）の前記補償されたリンク品質推定値は、補償値により増加した前記第２のビーム（１６０ａ、１６０ｂ）の前記リンク品質推定値として定義されること、
を含む方法。
【請求項２２】
請求項２１に記載の方法であって、前記無線信号は、少なくとも前記第１のビーム（１５０ａ〜１５０Ｍ）と前記第２のビーム（１６０ａ、１６０ｂ）の中で前記第１の無線送受信装置（２００）によって受信されることで搬送される、方法。
【請求項２３】
請求項２１に記載の方法であって、前記無線信号は、少なくとも前記第１のビーム（１５０ａ〜１５０Ｍ）と前記第２のビーム（１６０ａ、１６０ｂ）の中で前記第２の無線送受信装置（４００）によって送信されることで搬送される、方法。
【請求項２４】
請求項２１に記載の方法であって、前記第１の無線送受信装置（２００）は、前記ネットワークノード（３００）により、前記第２のビーム（１６０ａ、１６０ｂ）の前記リンク品質推定値が前記第１のビーム（１５０ａ〜１５０Ｍ）の前記リンク品質推定値よりも悪い前記補償値内にある場合にのみ、前記第２の無線送受信装置（４００）との無線信号の継続的な通信のために前記第２のビーム（１６０ａ、１６０ｂ）を使用することを選択するよう構成される、方法。
【請求項２５】
請求項２１または２４に記載の方法であって、前記第１の無線送受信装置（２００）は、前記ネットワークノード（３００）により、前記第２のビーム（１６０ａ、１６０ｂ）の前記リンク品質推定値が前記第１のビーム（１５０ａ〜１５０Ｍ）の前記リンク品質推定値よりも悪い補償値内にない場合に、前記第２の無線送受信装置（４００）との無線信号の継続的な通信のために前記第１のビーム（１５０ａ〜１５０Ｍ）を使用することを選択するよう構成される、方法。
【請求項２６】
ビーム選択のための無線送受信装置（２００）であって、前記無線送受信装置（２００）は、処理回路（２１０）を含み、前記処理回路は前記無線送受信装置（２００）に、
少なくとも、第１のビームセットから取得された第１のビーム（１５０ａ〜１５０Ｍ）と第２のビーム（１６０ａ、１６０ｂ）とによって、第２の無線送受信装置（４００）から前記無線送受信装置（２００）へと搬送される無線信号のリンク品質推定値を取得させ、前記第２のビーム（１６０ａ、１６０ｂ）が前記第１のビーム（１５０ａ〜１５０Ｍ）よりも広く、
前記第１のビーム（１５０ａ〜１５０Ｍ）の前記リンク品質推定値と前記第２のビーム（１６０ａ、１６０ｂ）の補償されたリンク品質推定値との間の比較に従って、前記第１のビーム（１５０ａ〜１５０Ｍ）と前記第２のビーム（１６０ａ、１６０ｂ）のどちらかひとつを前記第２の無線送受信装置（４００）との無線信号の継続的な通信に使用するために選択させるよう構成され、前記第２のビーム（１６０ａ、１６０ｂ）の前記補償されたリンク品質推定値は、補償値により増加した前記第２のビーム（１６０ａ、１６０ｂ）の前記リンク品質推定値として定義される、
無線送受信装置（２００）。
【請求項２７】
ビーム選択のための無線送受信装置（２００）であって、前記無線送受信装置（２００）は、
処理回路（２１０）と、
命令を記憶する記憶媒体（２３０）とを含み、前記命令は、前記処理回路（２１０）によって実行されると、前記無線送受信装置（２００）に、
少なくとも、第１のビームセットから取得された第１のビーム（１５０ａ〜１５０Ｍ）と第２のビーム（１６０ａ、１６０ｂ）とによって、第２の無線送受信装置（４００）から前記無線送受信装置（２００）へと搬送される無線信号のリンク品質推定値を取得させ、前記第２のビーム（１６０ａ、１６０ｂ）が前記第１のビーム（１５０ａ〜１５０Ｍ）よりも広く、
前記第１のビーム（１５０ａ〜１５０Ｍ）の前記リンク品質推定値と前記第２のビーム（１６０ａ、１６０ｂ）の補償されたリンク品質推定値との間の比較に従って、前記第１のビーム（１５０ａ〜１５０Ｍ）と前記第２のビーム（１６０ａ、１６０ｂ）のどちらかひとつを前記第２の無線送受信装置（４００）との無線信号の継続的な通信に使用するために選択させ、前記第２のビーム（１６０ａ、１６０ｂ）の前記補償されたリンク品質推定値は、補償値により増加した前記第２のビーム（１６０ａ、１６０ｂ）の前記リンク品質推定値として定義される、
無線送受信装置（２００）。
【請求項２８】
ビーム選択のための無線送受信装置（２００）であって、前記無線送受信装置（２００）は、
少なくとも、第１のビームセットから取得された第１のビーム（１５０ａ〜１５０Ｍ）と第２のビーム（１６０ａ、１６０ｂ）とによって、第２の無線送受信装置（４００）から前記無線送受信装置（２００）へと搬送される無線信号のリンク品質推定値を取得するよう構成され、前記第２のビーム（１６０ａ、１６０ｂ）が前記第１のビーム（１５０ａ〜１５０Ｍ）よりも広い取得モジュール（２１０ａ）と、
前記第１のビーム（１５０ａ〜１５０Ｍ）の前記リンク品質推定値と前記第２のビーム（１６０ａ、１６０ｂ）の補償されたリンク品質推定値との間の比較に従って、前記第１のビーム（１５０ａ〜１５０Ｍ）と前記第２のビーム（１６０ａ、１６０ｂ）のどちらかひとつを前記第２の無線送受信装置（４００）との無線信号の継続的な通信に使用するために選択するよう構成され、前記第２のビーム（１６０ａ、１６０ｂ）の前記補償されたリンク品質推定値は、補償値により増加した前記第２のビーム（１６０ａ、１６０ｂ）の前記リンク品質推定値として定義される選択モジュール（２１０ｂ）と
を含む無線送受信装置（２００）。
【請求項２９】
請求項２６乃至２８のいずれか一項に記載の無線送受信装置（２００）であって、さらに、請求項２乃至２０のいずれか一項に記載の方法を実行するように構成された無線送受信装置（２００）。
【請求項３０】
請求項２６乃至２９のいずれか一項に記載の無線送受信装置（２００）を含む端末装置。
【請求項３１】
ビーム選択のために第１の無線送受信装置（２００）を構成するためのネットワークノード（３００）であって、前記第１の無線送受信装置（２００）は、少なくとも、第１のビームセットから取得された第１のビーム（１５０ａ〜１５０Ｍ）と第２のビーム（１６０ａ、１６０ｂ）とによって、第２の無線送受信装置から前記第１の無線送受信装置（２００）に搬送される無線信号のリンク品質推定値を取得するように構成され、前記第２のビーム（１６０ａ、１６０ｂ）が前記第１のビーム（１５０ａ〜１５０Ｍ）よりも広く、前記ネットワークノード（３００）は処理回路（３１０）を含み、前記処理回路は前記ネットワークノード（３００）に、
前記第１のビーム（１５０ａ〜１５０Ｍ）の前記リンク品質推定値と前記第２のビーム（１６０ａ、１６０ｂ）の補償されたリンク品質推定値との間の比較に従って、前記第２の無線送受信装置との無線信号の継続的な通信に使用するために、前記第１のビーム（１５０ａ〜１５０Ｍ）と前記第２のビーム（１６０ａ、１６０ｂ）のうちのひとつを選択するよう第１の無線送受信装置（２００）を構成させ、前記第２のビーム（１６０ａ、１６０ｂ）の前記補償されたリンク品質推定値は、補償値により増加した前記第２のビーム（１６０ａ、１６０ｂ）の前記リンク品質推定値として定義される
よう構成される、ネットワークノード（３００）。
【請求項３２】
ビーム選択のために第１の無線送受信装置（２００）を構成するためのネットワークノード（３００）であって、前記第１の無線送受信装置（２００）は、少なくとも、第１のビームセットから取得された第１のビーム（１５０ａ〜１５０Ｍ）と第２のビーム（１６０ａ、１６０ｂ）とによって、第２の無線送受信装置から前記第１の無線送受信装置（２００）に搬送される無線信号のリンク品質推定値を取得するように構成され、前記第２のビーム（１６０ａ、１６０ｂ）が前記第１のビーム（１５０ａ〜１５０Ｍ）よりも広く、前記ネットワークノード（３００）は、
処理回路（３１０）と、
命令を記憶する記憶媒体（３３０）とを含み、前記命令は、前記処理回路（３１０）によって実行されるときに、前記ネットワークノード（３００）に、
第１のビーム（１５０ａ〜１５０Ｍ）の前記リンク品質推定値と第２のビーム（１６０ａ、１６０ｂ）の補償されたリンク品質推定値との間の比較に従って、前記第２の無線送受信装置（４００）との無線信号の継続的な通信に使用するために、前記第１のビーム（１５０ａ〜１５０Ｍ）と前記第２のビーム（１６０ａ、１６０ｂ）のうちのひとつを選択するよう第１の無線送受信装置（２００）を構成させ、前記第２のビーム（１６０ａ、１６０ｂ）の前記補償されたリンク品質推定値は、補償値により増加した前記第２のビーム（１６０ａ、１６０ｂ）の前記リンク品質推定値として定義される、
ネットワークノード（３００）。
【請求項３３】
ビーム選択のために第１の無線送受信装置（２００）を構成するためのネットワークノード（３００）であって、前記第１の無線送受信装置（２００）は、少なくとも、第１のビームセットから取得された第１のビーム（１５０ａ〜１５０Ｍ）と第２のビーム（１６０ａ、１６０ｂ）とによって、第２の無線送受信装置から前記第１の無線送受信装置（２００）に搬送される無線信号のリンク品質推定値を取得するように構成され、前記第２のビーム（１６０ａ、１６０ｂ）が前記第１のビーム（１５０ａ〜１５０Ｍ）よりも広く、前記ネットワークノード（３００）は、
第１のビーム（１５０ａ〜１５０Ｍ）の前記リンク品質推定値と第２のビーム（１６０ａ、１６０ｂ）の補償されたリンク品質推定値との間の比較に従って、前記第２の無線送受信装置との無線信号の継続的な通信に使用するために、前記第１のビーム（１５０ａ〜１５０Ｍ）と前記第２のビーム（１６０ａ、１６０ｂ）のうちのひとつを選択するよう第１の無線送受信装置（２００）を構成するよう構成され、前記第２のビーム（１６０ａ、１６０ｂ）の前記補償されたリンク品質推定値は、補償値により増加した前記第２のビーム（１６０ａ、１６０ｂ）の前記リンク品質推定値として定義される構成モジュール（３１０ａ）を含む、ネットワークノード（３００）。
【請求項３４】
請求項３１乃至３３のいずれか一項に記載のネットワークノード（３００）であって、さらに、請求項２２乃至２５のいずれか一項に記載の方法を実行するように構成されたネットワークノード（３００）。
【請求項３５】
請求項３１乃至３４のいずれか一項に記載のネットワークノード（３００）を含む無線アクセスネットワークノード。
【請求項３６】
ビーム選択のためのコンピュータプログラム（１０２０ａ）であって、前記コンピュータプログラムは、コンピュータコードを含み、前記コンピュータコードは、無線送受信装置（２００）の処理回路（２１０）で実行されるとき、前記無線送受信装置（２００）に、
少なくとも、第１のビームセットから取得された第１のビーム（１５０ａ〜１５０Ｍ）と第２のビーム（１６０ａ、１６０ｂ）とによって、第２の無線送受信装置（４００）から前記無線送受信装置（２００）へと搬送される無線信号のリンク品質推定値を取得させ（Ｓ１０２）、前記第２のビーム（１６０ａ、１６０ｂ）が前記第１のビーム（１５０ａ〜１５０Ｍ）よりも広く、
前記第１のビーム（１５０ａ〜１５０Ｍ）の前記リンク品質推定値と前記第２のビーム（１６０ａ、１６０ｂ）の補償されたリンク品質推定値との間の比較に従って、前記第１のビーム（１５０ａ〜１５０Ｍ）と前記第２のビーム（１６０ａ、１６０ｂ）のどちらかひとつを前記第２の無線送受信装置（４００）との無線信号の継続的な通信に使用するために選択させ（Ｓ１０４）、前記第２のビーム（１６０ａ、１６０ｂ）の前記補償されたリンク品質推定値は、補償値により増加した前記第２のビーム（１６０ａ、１６０ｂ）の前記リンク品質推定値として定義される、
コンピュータプログラム（１０２０ａ）。
【請求項３７】
ビーム選択のために第１の無線送受信装置（２００）を構成するためのコンピュータプログラム（１０２０ｂ）であって、前記第１の無線送受信装置（２００）は、少なくとも、第１のビームセットから取得された第１のビーム（１５０ａ〜１５０Ｍ）と第２のビーム（１６０ａ、１６０ｂ）とによって、第２の無線送受信装置から前記第１の無線送受信装置（２００）に搬送される無線信号のリンク品質推定値を取得するように構成され、前記第２のビーム（１６０ａ、１６０ｂ）が前記第１のビーム（１５０ａ〜１５０Ｍ）よりも広く、前記コンピュータプログラムはコンピュータコードを含み、前記コンピュータコードは、ネットワークノード（３００）の処理回路（３１０）で実行されるときに、前記ネットワークノード（３００）に、
第１のビーム（１５０ａ〜１５０Ｍ）の前記リンク品質推定値と第２のビーム（１６０ａ、１６０ｂ）の補償されたリンク品質推定値との間の比較に従って、前記第２の無線送受信装置との無線信号の継続的な通信に使用するために、前記第１のビーム（１５０ａ〜１５０Ｍ）と前記第２のビーム（１６０ａ、１６０ｂ）のうちのひとつを選択するよう第１の無線送受信装置（２００）を構成させ（２０２）、前記第２のビーム（１６０ａ、１６０ｂ）の前記補償されたリンク品質推定値は、補償値により増加した前記第２のビーム（１６０ａ、１６０ｂ）の前記リンク品質推定値として定義される、
コンピュータプログラム（１０２０ｂ）。
【請求項３８】
請求項３６および３７のうちの少なくとも一項に記載のコンピュータプログラム（１０２０ａ、１０２０ｂ）と、前記コンピュータプログラムが格納されるコンピュータ可読記憶媒体（１０３０）とを含むコンピュータプログラム製品（１０１０ａ、１０１０ｂ）。
【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
第１の無線送受信装置（２００）によって実行されるビーム選択のための方法であって、
少なくとも、第１のビームセットから取得された第１のビーム（１５０ａ〜１５０Ｍ）と第２のビーム（１６０ａ、１６０ｂ）とによって、第２の無線送受信装置（４００）から第１の無線送受信装置（２００)へと搬送される無線信号のリンク品質推定値を取得すること（Ｓ１０２）であって、前記第２のビーム（１６０ａ、１６０ｂ）が前記第１のビーム（１５０ａ〜１５０Ｍ）よりも広いことと、
前記第１のビーム（１５０ａ〜１５０Ｍ）の前記リンク品質推定値と前記第２のビーム（１６０ａ、１６０ｂ）の補償されたリンク品質推定値との間の比較に従って、前記第１のビーム（１５０ａ〜１５０Ｍ）と前記第２のビーム（１６０ａ、１６０ｂ）のうちのどちらかひとつを前記第２の無線送受信装置（４００）との無線信号の継続的な通信に使用するために選択すること（Ｓ１０４）であって、前記第２のビーム（１６０ａ、１６０ｂ）の前記補償されたリンク品質推定値は、補償値により増加した前記第２のビーム（１６０ａ、１６０ｂ）の前記リンク品質推定値として定義されることと、
を含む方法。
【請求項２】
請求項１に記載の方法であって、前記無線信号は、少なくとも前記第１のビーム（１５０ａ〜１５０Ｍ）と前記第２のビーム（１６０ａ、１６０ｂ）の中で前記第１の無線送受信装置（２００）によって受信されることで搬送される、方法。
【請求項３】
請求項１に記載の方法であって、前記無線信号は、少なくとも前記第１のビーム（１５０ａ〜１５０Ｍ）と前記第２のビーム（１６０ａ、１６０ｂ）の中で前記第２の無線送受信装置（４００）によって送信されることで搬送される、方法。
【請求項４】
請求項１に記載の方法であって、前記選択することはさらに、
前記第２のビーム（１６０ａ、１６０ｂ）の前記リンク品質推定値が前記第１のビーム（１５０ａ〜１５０Ｍ）の前記リンク品質推定値の前記補償値内にある場合にのみ、前記第２の無線送受信装置（４００）との無線信号の継続的な通信のために前記第２のビーム（１６０ａ、１６０ｂ）を使用することを選択すること（Ｓ１０４ａ）
を含む方法。
【請求項５】
請求項１または４に記載の方法であって、前記選択することはさらに、
前記第２のビーム１６０ａ、１６０ｂの前記リンク品質推定値が前記第１のビーム１５０ａ〜１５０Ｍの前記リンク品質推定値の前記補償値内にない場合に、前記第２の無線送受信装置４００との無線信号の継続的な通信のために前記第１のビーム１５０ａ〜１５０Ｍを使用することを選択すること（Ｓ１０４ｂ）
を含む方法。
【請求項６】
請求項１乃至５のいずれか一項に記載の方法であって、前記第１のビーム（１５０ａ〜１５０Ｍ）は、前記無線信号が受信されるすべてのビーム（１５０ａ〜１５０Ｍ、１６０ａ、１６０ｂ）の最良のリンク品質推定値を有する、方法。
【請求項７】
請求項１乃至６のいずれか一項に記載の方法であって、前記第１のビームセットは、同じ幅であるが互いに異なる指向方向を有する少なくとも２つのビーム（１５０ａ〜１５０Ｍ）を含み、前記第２のビーム（１６０ａ、１６０ｂ）は前記第１のビームセットの全てのビーム（１５０ａ〜１５０Ｍ）よりも広い、方法。
【請求項８】
請求項１乃至７のいずれか一項に記載の方法であって、前記第２のビーム（１６０ａ、１６０ｂ）は第２のビームセットから取得され、前記第２のビームセットのすべてのビーム（１６０ａ、１６０ｂ）は前記第１のビーム（１５０ａ〜１５０Ｍ）より広い、方法。
【請求項９】
請求項８に記載の方法であって、前記第２のビームセットは少なくとも２つの異なる幅のビーム（１６０ａ、１６０ｂ）を含み、その各々の幅は、前記リンク品質推定値を補償するためのそれぞれの補償値に関連付けられる、方法。
【請求項１０】
請求項１に記載の方法であって、前記補償値は、前記第１の無線送受信装置（２００）の現在の速度、現在の回転速度、および以前のブロッキング統計値のうちの少なくとも１つに依存する、方法。
【請求項１１】
請求項１に記載の方法であって、前記補償値は、前記第１のビームセットから取得された第２の第１のビーム（１５０ａ〜１５０Ｍ）で受信された前記無線信号のリンク品質推定値に依存する、方法。
【請求項１２】
請求項１１に記載の方法であって、ビーム空間内で、前記第１のビーム（１５０ａ〜１５０Ｍ）および前記第２の第１のビーム（１５０ａ〜１５０Ｍ）は隣接するビームである、方法。
【請求項１３】
請求項１１または１２に記載の方法であって、前記第２の第１のビーム（１５０ａ〜１５０Ｍ）は、前記第１のビーム（１５０ａ〜１５０Ｍ）のみよりも悪いリンク品質推定値を有する、方法。
【請求項１４】
請求項１乃至１３のいずれか一項に記載の方法であって、前記リンク品質推定値は、前記第１の無線送受信装置（２００）のビームトレーニング手順中に取得される、方法。
【請求項１５】
請求項１乃至１４のいずれか一項に記載の方法であって、前記第２の無線送受信装置（４００）との無線信号の継続的な通信に使用するために前記第１のビーム（１５０ａ〜１５０Ｍ）と前記第２のビーム（１６０ａ、１６０ｂ）のどちらかひとつを選択する方法がネットワーク情報により構成される、方法。
【請求項１６】
請求項２に記載の方法であって、前記少なくとも第１のビーム（１５０ａ〜１５０Ｍ）および前記第２のビーム（１６０ａ、１６０ｂ）は、アンテナアレイのアンテナ素子のビームフォーミングによって生成され、前記ビームフォーミングは前記アンテナ素子に位相シフトを適用することのみからなる、方法。
【請求項１７】
請求項２に記載の方法であって、前記少なくとも第１のビーム１５０ａ〜１５０Ｍ）および前記第２のビーム（１６０ａ、１６０ｂ）はアンテナアレイのアンテナ素子のビームフォーミングによって生成され、前記ビームフォーミングは前記アンテナ素子に位相シフトおよび振幅テーパリングの組合せを適用することを含む、方法。
【請求項１８】
ビーム選択のための無線送受信装置（２００）であって、前記無線送受信装置（２００）は、
少なくとも、第１のビームセットから取得された第１のビーム（１５０ａ〜１５０Ｍ）と第２のビーム（１６０ａ、１６０ｂ）とによって、第２の無線送受信装置（４００）から前記無線送受信装置（２００）へと搬送される無線信号のリンク品質推定値を取得するよう構成され、前記第２のビーム（１６０ａ、１６０ｂ）が前記第１のビーム（１５０ａ〜１５０Ｍ）よりも広い取得モジュール（２１０ａ）と、
前記第１のビーム（１５０ａ〜１５０Ｍ）の前記リンク品質推定値と前記第２のビーム（１６０ａ、１６０ｂ）の補償されたリンク品質推定値との間の比較に従って、前記第１のビーム（１５０ａ〜１５０Ｍ）と前記第２のビーム（１６０ａ、１６０ｂ）のどちらかひとつを前記第２の無線送受信装置（４００）との無線信号の継続的な通信に使用するために選択するよう構成され、前記第２のビーム（１６０ａ、１６０ｂ）の前記補償されたリンク品質推定値は、補償値により増加した前記第２のビーム（１６０ａ、１６０ｂ）の前記リンク品質推定値として定義される選択モジュール（２１０ｂ）と
を含む無線送受信装置（２００）。
【請求項１９】
請求項１８に記載の無線送受信装置（２００）であって、さらに、請求項２乃至１７のいずれか一項に記載の方法を実行するように構成された無線送受信装置（２００）。
【請求項２０】
請求項１８または１９に記載の無線送受信装置（２００）を含む端末装置。
【請求項２１】
ビーム選択のために第１の無線送受信装置（２００）を構成するためのネットワークノード（３００）であって、前記第１の無線送受信装置（２００）は、少なくとも、第１のビームセットから取得された第１のビーム（１５０ａ〜１５０Ｍ）と第２のビーム（１６０ａ、１６０ｂ）とによって、第２の無線送受信装置から前記第１の無線送受信装置（２００）に搬送される無線信号のリンク品質推定値を取得するように構成され、前記第２のビーム（１６０ａ、１６０ｂ）が前記第１のビーム（１５０ａ〜１５０Ｍ）よりも広く、前記ネットワークノード（３００）は、
第１のビーム（１５０ａ〜１５０Ｍ）の前記リンク品質推定値と第２のビーム（１６０ａ、１６０ｂ）の補償されたリンク品質推定値との間の比較に従って、前記第２の無線送受信装置との無線信号の継続的な通信に使用するために、前記第１のビーム（１５０ａ〜１５０Ｍ）と前記第２のビーム（１６０ａ、１６０ｂ）のうちのひとつを選択するよう第１の無線送受信装置（２００）を構成するよう構成され、前記第２のビーム（１６０ａ、１６０ｂ）の前記補償されたリンク品質推定値は、補償値により増加した前記第２のビーム（１６０ａ、１６０ｂ）の前記リンク品質推定値として定義される構成モジュール（３１０ａ）を含む、ネットワークノード（３００）。
【請求項２２】
請求項２１に記載のネットワークノード（３００）を含む無線アクセスネットワークノード。
【請求項２３】
ビーム選択のためのコンピュータプログラム（１０２０ａ）であって、前記コンピュータプログラムは、コンピュータコードを含み、前記コンピュータコードは、無線送受信装置（２００）の処理回路（２１０）で実行されるとき、前記無線送受信装置（２００）に、
少なくとも、第１のビームセットから取得された第１のビーム（１５０ａ〜１５０Ｍ）と第２のビーム（１６０ａ、１６０ｂ）とによって、第２の無線送受信装置（４００）から前記無線送受信装置（２００）へと搬送される無線信号のリンク品質推定値を取得させ（Ｓ１０２）、前記第２のビーム（１６０ａ、１６０ｂ）が前記第１のビーム（１５０ａ〜１５０Ｍ）よりも広く、
前記第１のビーム（１５０ａ〜１５０Ｍ）の前記リンク品質推定値と前記第２のビーム（１６０ａ、１６０ｂ）の補償されたリンク品質推定値との間の比較に従って、前記第１のビーム（１５０ａ〜１５０Ｍ）と前記第２のビーム（１６０ａ、１６０ｂ）のどちらかひとつを前記第２の無線送受信装置（４００）との無線信号の継続的な通信に使用するために選択させ（Ｓ１０４）、前記第２のビーム（１６０ａ、１６０ｂ）の前記補償されたリンク品質推定値は、補償値により増加した前記第２のビーム（１６０ａ、１６０ｂ）の前記リンク品質推定値として定義される、
コンピュータプログラム（１０２０ａ）。
【国際調査報告】
2020520568.tif 000013
2020520568.tif 000014
2020520568.tif 000015